(57)【要約】  伝搬遅延が無線フレームの一部分の時間期間を超え得る、タイミングアドバンスを実装するための方法、システム、およびデバイスについて説明する。いくつかの例では、送信機が、サブフレームのワイヤレスアップリンク送信を開始すべき時間を示すタイミングアドバンスを識別し得る。そのようなタイミングアドバンスは、ワイヤレスアップリンク送信の送信機と受信機との間の伝搬遅延を補償し得る。タイミングアドバンスは、サブフレームのワイヤレスアップリンク送信を開始すべき時間を調整するために、サブフレームの持続時間に関する整数成分および小数成分として適用され得る。整数成分は、１つまたは複数のサブフレーム特性を調整するために使用され得、小数成分それは、サブフレームのワイヤレスアップリンク送信を開始すべき時間を調整するために使用され得る。
2017522760.tif 000002
【特許請求の範囲】
【請求項１】
サブフレームのワイヤレスアップリンク送信を開始すべき時間を示すタイミングアドバンスを識別することと、
前記サブフレームの前記ワイヤレスアップリンク送信を開始すべき前記時間を調整するために、サブフレーム持続時間に関する整数成分および小数成分として前記タイミングアドバンスを適用することと、
前記タイミングアドバンスによって示された前記時間に前記サブフレームの前記ワイヤレスアップリンク送信を開始することと
を備える、ワイヤレス通信の方法。
【請求項２】
前記整数成分を前記適用することが、
サブフレームのシーケンスの以前のダウンリンクサブフレーム境界に対応するように、前記サブフレームの前記ワイヤレスアップリンク送信を開始すべき前記時間を調整すること
を備える、請求項１に記載の方法。
【請求項３】
サブフレームの前記シーケンスが、時分割複信（ＴＤＤ）サブフレームのシーケンスに対応する、請求項２に記載の方法。
【請求項４】
サブフレームの前記シーケンスが、周波数分割複信（ＦＤＤ）サブフレームのシーケンスに対応する、請求項２に記載の方法。
【請求項５】
前記小数成分として前記タイミングアドバンスを前記適用することが、前記ワイヤレスアップリンク送信を開始すべき前記時間を、前記サブフレーム持続時間よりも小さい量だけ進めることを備える、請求項１に記載の方法。
【請求項６】
前記小数成分として前記タイミングアドバンスを前記適用することが、前記ワイヤレスアップリンク送信を開始すべき前記時間を、前記サブフレーム持続時間よりも小さい量だけ遅延させることを備える、請求項１に記載の方法。
【請求項７】
前記タイミングアドバンスを前記適用することが、
前記識別されたタイミングアドバンスをしきい値と比較することと、
前記比較に少なくとも部分的に基づいて前記整数成分に対する調整を決定することと、
前記識別されたタイミングアドバンスと前記決定された調整に基づく調整された整数成分との間の差として前記小数成分を計算することと
を備える、請求項１に記載の方法。
【請求項８】
前記小数成分が、前記サブフレーム持続時間よりも小さい、請求項７に記載の方法。
【請求項９】
前記サブフレームが、ユーザ機器から基地局に送信されたアップリンクサブフレームである、請求項１に記載の方法。
【請求項１０】
前記ユーザ機器が航空機送信機を備え、前記基地局が地上局を備える、請求項９に記載の方法。
【請求項１１】
前記ワイヤレスアップリンク送信が、物理ランダムアクセスチャネル（ＰＲＡＣＨ）、サウンディング基準信号（ＳＲＳ）、物理アップリンク共有チャネル（ＰＵＳＣＨ）および関連する復調基準信号（ＤＭＲＳ）、または物理アップリンク制御チャネル（ＰＵＣＣＨ）および関連する（ＤＭＲＳ）のうちの１つまたは複数上での送信を備える、請求項１に記載の方法。
【請求項１２】
前記サブフレームは、初期アップリンクサブフレームであり、
前記初期アップリンクサブフレームの前記タイミングアドバンスに対する１つまたは複数の後続のアップリンクサブフレームのさらなるタイミングアドバンスを識別すること、ここにおいて、前記後続のアップリンクサブフレームが、時分割複信（ＴＤＤ）サブフレームのシーケンスに対応する、
をさらに備える、請求項１に記載の方法。
【請求項１３】
前記さらなるタイミングアドバンスが前記整数成分の変化を備えると決定することと、
１つまたは複数のダウンリンクサブフレーム中に前記さらなるタイミングアドバンスを適用することと
をさらに備える、請求項１２に記載の方法。
【請求項１４】
前記小数成分の前記変化を前記適用することが、複数のダウンリンクサブフレームにわたってスタッガされる、請求項１３に記載の方法。
【請求項１５】
前記サブフレームの前記ワイヤレスアップリンク送信を前記開始することより前に、前記サブフレームに対してアップリンクデータ処理を実行することと、前記アップリンクデータ処理が、前記整数成分の最大値に従って実行される、
前記整数成分が前記整数成分の前記最大値よりも小さいことに応答して、前記アップリンクデータ処理の一部分をストールさせることと
をさらに備える、請求項１に記載の方法。
【請求項１６】
内部ソースからタイミングアドバンス情報を受信することと、
外部ソースからタイミングアドバンス情報を受信することと、ここにおいて、前記タイミングアドバンスを識別することが、前記内部ソースから受信された前記タイミングアドバンス情報および前記外部ソースから受信された前記タイミングアドバンス情報に少なくとも部分的に基づく、
をさらに備える、請求項１に記載の方法。
【請求項１７】
前記外部ソースとは別個である基地局からタイミングアドバンス情報を受信すること、ここにおいて、前記タイミングアドバンスを識別することが、前記基地局からの前記タイミングアドバンス情報に少なくとも部分的に基づき、ここにおいて、前記外部ソースの前記タイミングアドバンス情報が、前記ワイヤレスアップリンク送信を開始するワイヤレス通信デバイスに関連付けられた位置、速度、および加速度のうちの少なくとも１つを備える、
をさらに備える、請求項１６に記載の方法。
【請求項１８】
サブフレームのワイヤレスアップリンク送信を開始すべき時間を示すタイミングアドバンスを識別するための手段と、
前記サブフレームの前記ワイヤレスアップリンク送信を開始すべき前記時間を調整するために、サブフレーム持続時間に関する整数成分および小数成分として前記タイミングアドバンスを適用するための手段と、
前記タイミングアドバンスによって示された前記時間に前記サブフレームの前記ワイヤレスアップリンク送信を開始することと
を備える、ワイヤレス通信のための装置。
【請求項１９】
前記整数成分を適用するための前記手段が、
サブフレームのシーケンスの以前のダウンリンクサブフレーム境界に対応するように、前記サブフレームの前記ワイヤレスアップリンク送信を開始すべき前記時間を調整するための手段
を備える、請求項１８に記載の装置。
【請求項２０】
前記小数成分として前記タイミングアドバンスを適用するための前記手段が、前記ワイヤレスアップリンク送信を開始すべき前記時間を、前記サブフレーム持続時間よりも小さい量だけ進めるための手段を備える、請求項１８に記載の装置。
【請求項２１】
前記小数成分として前記タイミングアドバンスを適用するための前記手段が、前記ワイヤレスアップリンク送信を開始すべき前記時間を、前記サブフレーム持続時間よりも小さい量だけ遅延させるための手段を備える、請求項１８に記載の装置。
【請求項２２】
前記タイミングアドバンスを適用するための前記手段が、
前記識別されたタイミングアドバンスをしきい値と比較するための手段と、
前記比較に少なくとも部分的に基づいて前記整数成分に対する調整を決定するための手段と、
前記識別されたタイミングアドバンスと前記決定された調整に基づく調整された整数成分との間の差として前記小数成分を計算するための手段と
を備える、請求項１８に記載の装置。
【請求項２３】
プロセッサと、
前記プロセッサと電子通信しているメモリと、
前記メモリに記憶された命令と
を備え、前記命令が、
サブフレームのワイヤレスアップリンク送信を開始すべき時間を示すタイミングアドバンスを識別することと、
前記サブフレームの前記ワイヤレスアップリンク送信を開始すべき前記時間を調整するために、サブフレーム持続時間に関する整数成分および小数成分として前記タイミングアドバンスを適用することと、
前記タイミングアドバンスによって示された前記時間に前記サブフレームの前記ワイヤレスアップリンク送信を開始することと
を行うために前記プロセッサによって実行可能である、
ワイヤレス通信のための装置。
【請求項２４】
前記命令が、サブフレームのシーケンスの以前のダウンリンクサブフレーム境界に対応するように、前記サブフレームの前記ワイヤレスアップリンク送信を開始すべき前記時間を調整するために前記プロセッサによってさらに実行可能である、請求項２３に記載の装置。
【請求項２５】
前記命令が、前記ワイヤレスアップリンク送信を開始すべき前記時間を、前記サブフレーム持続時間よりも小さい量だけ進めるために前記プロセッサによってさらに実行可能である、請求項２３に記載の装置。
【請求項２６】
前記命令が、前記ワイヤレスアップリンク送信を開始すべき前記時間を、前記サブフレーム持続時間よりも小さい量だけ遅延させるために前記プロセッサによってさらに実行可能である、請求項２３に記載の装置。
【請求項２７】
ワイヤレス通信のためのコンピュータ実行可能コードを記憶する非一時的コンピュータ可読媒体であって、前記コードが、
サブフレームのワイヤレスアップリンク送信を開始すべき時間を示すタイミングアドバンスを識別することと、
前記サブフレームの前記ワイヤレスアップリンク送信を開始すべき前記時間を調整するために、サブフレーム持続時間に関する整数成分および小数成分として前記タイミングアドバンスを適用することと、
前記タイミングアドバンスによって示された前記時間に前記サブフレームの前記ワイヤレスアップリンク送信を開始することと
を行うためにプロセッサによって実行可能である、非一時的コンピュータ可読媒体。
【請求項２８】
前記コードが、
サブフレームのシーケンスの以前のダウンリンクサブフレーム境界に対応するように、前記サブフレームの前記ワイヤレスアップリンク送信を開始すべき前記時間を調整すること
を行うために前記プロセッサによって実行可能である、請求項２７に記載の非一時的コンピュータ可読媒体。
【請求項２９】
前記コードが、
前記ワイヤレスアップリンク送信を開始すべき前記時間を、前記サブフレーム持続時間よりも小さい量だけ進めること
を行うために前記プロセッサによって実行可能である、請求項２７に記載の非一時的コンピュータ可読媒体。
【請求項３０】
前記コードが、
前記ワイヤレスアップリンク送信を開始すべき前記時間を、前記サブフレーム持続時間よりも小さい量だけ遅延させること
を行うために前記プロセッサによって実行可能である、請求項２７に記載の非一時的コンピュータ可読媒体。
【発明の詳細な説明】
【技術分野】
【０００１】
相互参照
[0001]本特許出願は、各々が本出願の譲受人に譲渡された、２０１５年５月６日に出願された、「Timing Advance Techniques for Large Cells」と題する、Ｒａｊａｇｏｐａｌａｎらによる米国特許出願第１４／７０５，２９６号、および２０１４年５月１３日に出願された、「Timing Advance Techniques for Large Cells」と題する、Ｒａｊａｇｏｐａｌａｎらによるインド仮特許出願第２３８１／ＣＨＥ／２０１４号の優先権を主張する。
【背景技術】
【０００２】
[0002]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。
【０００３】
[0003]概して、ワイヤレス多元接続通信システムは、各々が複数のモバイルデバイスまたは他のユーザ機器（ＵＥ）デバイスのための通信を同時にサポートする、いくつかの基地局を含み得る。基地局は、ダウンストリームリンクおよびアップストリームリンク上でＵＥと通信し得る。各基地局は、セルのカバレージエリアと呼ばれることがあるカバレージ範囲を有する。ＵＥは、基地局からデータを受信する（ダウンリンク）ことと、基地局にデータを送信する（アップリンク）ことの両方を行い得る。
【０００４】
[0004]いくつかの展開では、比較的大きいセルを有することが有利であり得る。たとえば、システムが、地上波空対地（ＡＴＧ）システムによる航空機へのインターネット通信を提供するように動作し得る。そのような場合、航空機が航行し得る高度および速度により、システム内のセルは地上波ベースＵＥのためのセルカバレージエリアに対して拡張されたカバレージエリアを有することが望ましいことがある。そのような例では、ＵＥと基地局との間の伝搬遅延が、データの送信のために使用され得る無線フレームのかなりの部分になることがある。たとえば、システムが１ミリ秒サブフレームを利用する場合、１ミリ秒を超える伝搬遅延は、受信機におけるサブフレーム境界の外側でのサブフレームの到着を生じ得る。いくつかのシステムでは、約６７０μｓの伝搬遅延がサポートされ得、その限界を超える伝搬遅延はサポートされないことがある。そのような比較的大きいセルをサポートし、そのような確立されたプロトコルに従う通信を可能にするシステムを提供するために、システムは、伝搬遅延が、ワイヤレス通信ネットワークに関連付けられた伝搬遅延限界を超え得る環境において動作することが望ましいことがある。
【発明の概要】
【０００５】
[0005]説明する特徴は一般に、伝搬遅延が、伝搬遅延限界に関連付けられた無線フレームの一部分の時間期間を超え得る、タイミングアドバンス（timing advance）を実装するための１つまたは複数の改善されたシステム、方法、または装置に関する。いくつかの例では、送信機が、サブフレームのワイヤレスアップリンク送信を開始すべき時間を示すタイミングアドバンスを識別し得る。そのようなタイミングアドバンスは、ワイヤレスアップリンク送信の送信機と受信機との間の伝搬遅延を補償し得る。タイミングアドバンスは、サブフレームのワイヤレスアップリンク送信を開始すべき時間を調整するために、サブフレーム持続時間に関する整数成分（integer component）および小数成分（fractional component）として適用され得る。整数成分は、１つまたは複数のサブフレーム特性を調整するために使用され得、小数成分は、サブフレームのワイヤレスアップリンク送信を開始すべき時間を調整するために使用され得る。サブフレームを受信する受信機は、他の送信機からの他のサブフレームの受信と実質的に同期して、サブフレームを受信し得る。サブフレームは、いくつかの例によれば、時分割複信（ＴＤＤ）サブフレームのシーケンスに、または、周波数分割複信（ＦＤＤ）サブフレームのシーケンスに対応し得る。
【０００６】
[0006]本開示のいくつかの態様によれば、ワイヤレス通信の方法が、サブフレームのワイヤレスアップリンク送信を開始すべき時間を示すタイミングアドバンスを識別することと、サブフレームのワイヤレスアップリンク送信を開始すべき時間を調整するために、サブフレーム持続時間に関する整数成分および小数成分としてタイミングアドバンスを適用することと、タイミングアドバンスによって示された時間にサブフレームのワイヤレスアップリンク送信を開始することとを含み得る。
【０００７】
[0007]本開示のいくつかの態様による、ワイヤレス通信のための装置も提供される。本装置は、サブフレームのワイヤレスアップリンク送信を開始すべき時間を示すタイミングアドバンスを識別するための手段と、サブフレームのワイヤレスアップリンク送信を開始すべき時間を調整するために、サブフレーム持続時間に関する整数成分および小数成分としてタイミングアドバンスを適用するための手段と、タイミングアドバンスによって示された時間にサブフレームのワイヤレスアップリンク送信を開始するための手段とを含み得る。
【０００８】
[0008]本開示の他の態様によれば、ワイヤレス通信のための装置が、プロセッサと、プロセッサと電気的に通信しているメモリと、メモリに記憶された命令とを含み得る。命令は、サブフレームのワイヤレスアップリンク送信を開始すべき時間を示すタイミングアドバンスを識別することと、サブフレームのワイヤレスアップリンク送信を開始すべき時間を調整するために、サブフレーム持続時間に関する整数成分および小数成分としてタイミングアドバンスを適用することと、タイミングアドバンスによって示された時間にサブフレームのワイヤレスアップリンク送信を開始することとを行うためにプロセッサによって実行可能であり得る。
【０００９】
[0009]本開示のさらなる態様によれば、ワイヤレス通信のためのコンピュータ実行可能コードを記憶する非一時的コンピュータ可読媒体について説明する。コードは、サブフレームのワイヤレスアップリンク送信を開始すべき時間を示すタイミングアドバンスを識別することと、サブフレームのワイヤレスアップリンク送信を開始すべき時間を調整するために、サブフレーム持続時間に関する整数成分および小数成分としてタイミングアドバンスを適用することと、タイミングアドバンスによって示された時間にサブフレームのワイヤレスアップリンク送信を開始することとを行うためにプロセッサによって実行可能であり得る。
【００１０】
[0010]整数成分の適用が、サブフレームのシーケンスの以前のダウンリンクサブフレーム境界に対応するように、サブフレームのワイヤレスアップリンク送信を開始すべき時間を調整することを含み得る、上記のような方法、装置または非一時的コンピュータ可読媒体についても説明する。いくつかの例では、サブフレームのシーケンスは、ＴＤＤまたはＦＤＤサブフレームのシーケンスに対応し得る。いくつかの例では、小数成分としてタイミングアドバンスを適用することが、ワイヤレスアップリンクを開始すべき時間を、サブフレーム持続時間よりも小さい量だけ進めることを含み得る。他の例では、小数成分としてタイミングアドバンスを適用することが、ワイヤレスアップリンクを開始すべき時間を、サブフレーム持続時間よりも小さい量遅延させることを含み得る。
【００１１】
[0011]本方法、本装置、または本非一時的コンピュータ可読媒体はまた、いくつかの例では、識別されたタイミングアドバンスがしきい値を超えると決定することと、整数成分を増分することと、識別されたタイミングアドバンスと増分された整数成分との間の差として小数成分を計算することとによってタイミングアドバンスを適用し得る。いくつかの例では、小数成分は、サブフレーム持続時間よりも小さいことがある。追加または代替として、サブフレームは、ユーザ機器から基地局に送信されたアップリンクサブフレーム得、ユーザ機器は航空機送信機を含み得、基地局は地上局を含み得る。いくつかの例では、ワイヤレスアップリンク送信は、物理ランダムアクセスチャネル（ＰＲＡＣＨ）、物理アップリンク共有チャネル（ＰＵＳＣＨ）、または物理アップリンク制御チャネル（ＰＵＣＣＨ）、ＰＵＳＣＨまたはＰＵＣＣＨに関連付けられた復調基準信号（ＤＭＲＳ）、あるいはサウンディング基準信号（ＳＲＳ）送信のうちの１つまたは複数上での送信を含み得る。
【００１２】
[0012]本方法、本装置、または本非一時的コンピュータ可読媒体はまた、いくつかの例では、識別されたタイミングアドバンスをしきい値と比較し、比較に少なくとも部分的に基づいて整数成分に対する調整を決定し得る。この例または他の例では、本方法、本装置、または本非一時的コンピュータ可読媒体はまた、識別されたタイミングアドバンスと決定された調整に基づく調整された整数成分との間の差として小数成分を計算し得る。
【００１３】
[0013]本方法、本装置、または本非一時的コンピュータ可読媒体はまた、いくつかの例では、内部ソースからタイミングアドバンス情報を受信し、外部ソースからタイミングアドバンス情報を受信し得る。タイミングアドバンスを識別することは、内部ソースから受信されたタイミングアドバンス情報および外部ソースから受信されたタイミングアドバンス情報に少なくとも部分的に基づき得る。本方法、本装置、または本非一時的コンピュータ可読媒体はまた、外部ソースとは別個である基地局からタイミングアドバンス情報を受信し得る。そのような場合、タイミングアドバンスを識別することが、基地局からのタイミングアドバンス情報に少なくとも部分的に基づき得る。外部ソースのタイミングアドバンス情報は、位置、速度、および加速度のうちの少なくとも１つを含み得る。
【００１４】
[0014]様々な例では、サブフレームは初期アップリンクサブフレームであり得、サブフレームのシーケンスは、アップリンクＴＤＤサブフレームのシーケンスに対応し得る。いくつかの例が、初期アップリンクサブフレームのタイミングアドバンスに対する１つまたは複数の後続のアップリンクサブフレームのさらなるタイミングアドバンスを識別することを含み得る。いくつかの例では、本方法、本装置、または本コンピュータ可読媒体は、さらなるタイミングアドバンスが整数成分の変化を備えると決定し、１つまたは複数のダウンリンクサブフレーム中にさらなるタイミングアドバンスを適用し得る。整数成分の変化は、たとえば、複数のダウンリンクサブフレームにわたってスタッガ(staggered)され得る。さらなる例では、サブフレームのワイヤレスアップリンク送信を開始することより前にサブフレームに対してアップリンクデータ処理が実行され得、アップリンクデータ処理は、整数成分の最大値に従って実行され、整数成分が整数成分の最大値よりも小さいとき、アップリンクデータ処理の一部分がストールさせられ得る。いくつかの例では、タイミングアドバンスは、タイミングアドバンス生成器から受信され得る。
【００１５】
[0015]様々な例では、タイミングアドバンスを識別することが、第１の外部ソースと第２の外部ソースの一方または両方からタイミングアドバンス情報を受信することと、第１の外部ソースと第２の外部ソースの一方または両方から受信されたタイミングアドバンス情報に少なくとも基づいてタイミングアドバンスを識別することとを含み得る。いくつかの例では、タイミングアドバンスを識別することが、外部ソースから位置、速度、および加速度のうちの少なくとも１つを取得することと、位置、速度、および加速度のうちの少なくとも１つに少なくとも基づいてタイミングアドバンスを識別することとを含み得る。
【００１６】
[0016]説明する方法および装置の適用性のさらなる範囲は、以下の発明を実施するための形態、特許請求の範囲、および図面から明らかになろう。当業者には発明を実施するための形態の範囲内の様々な変更および改変が明らかになるので、発明を実施するための形態および特定の例は、例示として与えられるものにすぎない。
【００１７】
[0017]本開示の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００１８】
【図１】[0018]本開示の様々な態様による、ワイヤレス通信システムの一例を示す図。
【図２】[0019]本開示の様々な態様による、ワイヤレス通信システムにおけるアップリンクおよびダウンリンクサブフレームに対するタイミングアドバンスの一例を示す図。
【図３】[0020]本開示の様々な態様による、ワイヤレス通信システムにおけるアップリンクおよびダウンリンクサブフレームに対する小数タイミングアドバンスの一例を示す図。
【図４】[0021]本開示の様々な態様による、ワイヤレス通信システムにおけるアップリンクおよびダウンリンクサブフレームに対する整数タイミングアドバンスに関連した小数タイミングリタード（timing retard）の一例を示す図。
【図５】[0022]本開示の様々な態様による、ワイヤレス通信システムにおけるアップリンクおよびダウンリンクサブフレームに対する整数および小数タイミングアドバンスの一例を示す図。
【図６】[0023]本開示の様々な態様による、ワイヤレス通信システムにおけるアップリンクおよびダウンリンクサブフレームに対する小数タイミングアドバンスのためのサブフレーム処理の一例を示す図。
【図７】[0024]本開示の様々な態様による、ワイヤレス通信システムにおけるアップリンクおよびダウンリンクサブフレームに対する整数＋小数タイミングアドバンスのためのサブフレーム処理の一例を示す図。
【図８】[0025]本開示の様々な態様による、ワイヤレス通信システムにおけるアップリンクおよびダウンリンクサブフレームに対するタイミングアドバンスのスタガリング実装の一例を示す図。
【図９】[0026]本開示の様々な態様による、タイミングアドバンス実装のための方法を示すフローチャート。
【図１０Ａ】[0027]本開示の様々な態様による、タイミングアドバンス実装のためのデバイスのブロック図。
【図１０Ｂ】[0028]本開示の様々な態様による、タイミングアドバンス実装のための別のデバイスのブロック図。
【図１１】[0029]本開示の様々な態様による、タイミングアドバンス実装のためのユーザ機器のブロック図。
【図１２】[0030]本開示の様々な態様による、タイミングアドバンス実装のための方法を示すフローチャート。
【図１３】[0031]本開示の様々な態様による、タイミングアドバンス実装のための方法を示すフローチャート。
【発明を実施するための形態】
【００１９】
[0032]説明する特徴は一般に、伝搬遅延が、伝搬遅延限界に関連付けられた無線フレームの一部分の時間期間を超え得る、タイミングアドバンスを実装するための１つまたは複数の改善されたシステム、方法、または装置に関する。いくつかの例では、送信機が、サブフレームのワイヤレスアップリンク送信を開始すべき時間を示すタイミングアドバンスを識別し得る。そのようなタイミングアドバンスは、ワイヤレスアップリンク送信の送信機と受信機との間の伝搬遅延を補償し得る。
【００２０】
[0033]タイミングアドバンスは、サブフレームのワイヤレスアップリンク送信を開始すべき時間を調整するために、サブフレーム持続時間に関する小数成分、整数成分、または整数成分および小数成分として適用され得る。整数成分は、１つまたは複数のサブフレーム特性を調整するために使用され得、小数成分それは、サブフレームのワイヤレスアップリンク送信を開始すべき時間を調整するために使用され得る。サブフレームを受信する受信機は、他の送信機からの他のサブフレームの受信と実質的に同期して、サブフレームを受信し得る。サブフレームは、たとえば、時分割複信（ＴＤＤ）サブフレームのシーケンスに、または、周波数分割複信（ＦＤＤ）サブフレームのシーケンスに対応し得る。
【００２１】
[0034]以下の説明は、例を与えるものであり、特許請求の範囲に記載される範囲、適用性、または構成を限定するものではない。本開示の範囲から逸脱することなく、説明する要素の機能および構成において変更が行われ得る。様々な実施形態は、適宜に様々な手順または構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２２】
[0035]図１に、様々な実施形態による、ワイヤレス通信システム１００の一例を示す。ワイヤレス通信システム１００は、基地局１０５と、ユーザ機器（ＵＥ）１１５としても知られる通信デバイスと、コアネットワーク１３０とを含む。基地局１０５は、様々な実施形態ではコアネットワーク１３０または基地局１０５の一部であり得る、基地局コントローラ（図示せず）の制御下でＵＥ１１５と通信し得る。いくつかの態様では、ワイヤレス通信システム１００は、航空機（または他の飛行中の物体）トランシーバとして実装されたＵＥ１１５−ａと基地局１０５−ａとの間のＡＴＧ通信を提供し得る。航空機の相対的な高速に適応するために、基地局１０５−ａに関連付けられたカバレージエリア１１０−ａが、地上ＵＥ１１５と通信している基地局のカバレージエリア１１０と比較して増加させられ得る。そのような増加したカバレージエリア１１０−ａは、本開示の様々な態様によるタイミングアドバンスを使用して補償され得る、セルエッジに近いＵＥ１１５−ａの伝搬遅延を生じることがある。
【００２３】
[0036]基地局１０５は、バックホールリンク１３２を通してコアネットワーク１３０と制御情報またはユーザデータを通信し得る。いくつかの例では、基地局１０５は、ワイヤードまたはワイヤレス通信リンクであり得るバックホールリンク１３４を介して、直接的または間接的のいずれかで、互いに通信し得る。ワイヤレス通信システム１００は、複数のキャリア（異なる周波数の波形信号）上での動作をサポートし得る。ワイヤレス通信リンク１２５は、様々な無線技術に従って変調され得る。各被変調信号は、制御情報（たとえば、基準信号、制御チャネルなど）、オーバーヘッド情報、データなどを搬送し得る。
【００２４】
[0037]複数のサブフレームに分割され得る、無線フレームに従ってデータを送信するプロトコルに従ってワイヤレス通信が実行され得る。たとえば、ロングタームエボリューション（ＬＴＥ）システムでは、フレーム構造が、無線フレーム中で送信されるデータの１０個のサブフレームを含み得る。各サブフレームは、持続時間が１ミリ秒（ｍｓ）であり得、ＵＥ１１５と基地局１０５との間で送信される制御シグナリングならびにデータを含み得る。タイミングアドバンスがサブフレームの持続時間を超える場合、様々な例によれば、以下でより詳細に説明するように、タイミングアドバンスは、サブフレームの整数に関連付けられた整数成分、およびサブフレームの小数部分に関連付けられた小数成分として実装され得る。いくつかの例では、タイミングアドバンスは、サブフレームの持続時間を超えないことがあるが、タイミングアドバンス限界を超えることがあり、以下でより詳細に説明するように、整数タイミングアドバンスおよび小数リタードとして実装され得る。
【００２５】
[0038]基地局１０５は、１つまたは複数の基地局アンテナを介してＵＥ１１５とワイヤレス通信し得る。基地局１０５サイトの各々は、それぞれのカバレージエリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、または何らかの他の好適な用語で呼ばれることがある。基地局のためのカバレージエリア１１０は、カバレージエリアの一部分を構成するセクタ（図示せず）に分割され得る。ワイヤレス通信システム１００は、異なるタイプの基地局１０５（たとえば、マクロ基地局、マイクロ基地局、またはピコ基地局）を含み得る。異なる技術のための重複するカバレージエリアがあり得る。ワイヤレス通信システム１００は、異なるタイプの基地局が様々な地理的領域にカバレージを与える、異種ＬＴＥ／ＬＴＥ−Ａネットワークであり得る。
【００２６】
[0039]コアネットワーク１３０は、バックホール１３２（たとえば、Ｓ１など）を介して基地局１０５と通信し得る。基地局１０５はまた、バックホールリンク１３４（たとえば、Ｘ２など）を介して、またはバックホールリンク１３２を介して（たとえば、コアネットワーク１３０を通して）（たとえば、直接的または間接的に）互いに通信し得る。ワイヤレス通信システム１００は、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００２７】
[0040]ＵＥ１１５は、ワイヤレス通信システム１００全体にわたって分散され得、各ＵＥは固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、航空機トランシーバ、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００２８】
[0041]ワイヤレス通信システム１００において示されている通信リンク１２５は、ＵＥ１１５から基地局１０５へのＵＬキャリアを介したＵＬ送信、またはＤＬキャリアを介した基地局１０５からＵＥ１１５へのＤＬ送信を含み得る。システムは、いくつかの例では、ＦＤＤまたはＴＤＤを利用し得る。ダウンリンク送信は順方向リンク送信と呼ばれることもあり、アップリンク送信は逆方向リンク送信と呼ばれることもある。本開示の様々な態様によれば、ＵＥ１１５は、他の受信されたアップリンク送信と実質的に同期した、基地局１０５において受信されるアップリンク送信を与えるために、アップリンク送信に対してタイミングアドバンスを実装し得る。ＵＥ１１５が基地局１０５からより遠い距離にあり得る状況では、タイミングアドバンスは、より大きい伝搬遅延により、より近いＵＥ１１５よりも大きいことになる。１つまたは複数の基地局１０５が、航空機上にあるかまたは航空機トランシーバであるＵＥ１１５−ａと通信していることがある展開では、サービングセルのカバレージエリア１１０は、比較的大きくなり得、いくつかの例では、タイミングアドバンスの最大値が、１つのサブフレームよりも大きくなるか、またはＵＥ１１５によってサポートされる最大タイミングアドバンスよりも大きくなることを生じ得る。そのような場合、以下でさらに詳細に説明するように、ＵＥ１１５−ａは、１つまたは複数のサブフレーム特性を調整するために使用される整数成分、およびサブフレームのワイヤレスアップリンク送信を開始すべき時間を調整するために使用され得る小数成分として、タイミングアドバンスを実装し得る。
【００２９】
[0042]上述のように、タイミングアドバンスは、ＵＥと基地局との間の伝搬遅延を補償するために必要とされ、ＵＥは、他のＵＥからの他のアップリンク送信との指定された同期内に基地局に到着するアップリンク送信を与えるために、タイミングアドバンスを実装し得る。基地局は、したがって、複数のＵＥ間の通信の適切なタイミングを維持し得る。タイミングアドバンスは、空対地通信システムのいくつかの例では、アップリンク物理信号またはアップリンク物理チャネルに適用され得る。たとえば、タイミングアドバンスは、様々な空対地データ通信における様々な別個のシナリオにおいて適用され得る。これらのシナリオは、たとえば、物理ランダムアクセスチャネル（ＰＲＡＣＨ）を使用することによる初期ネットワークアクセスにおいてと、接続状態における第１の共有チャネルアップリンク送信においてと、接続状態における物理アップリンク共有チャネル（ＰＵＳＣＨ）または物理アップリンク制御チャネル（ＰＵＣＣＨ）に対する周期的タイミングアドバンス更新においてと、サービングセルからターゲットセルへのハンドオーバ中にＰＲＡＣＨを使用することと、無線リンク障害（ＲＬＦ）または同期外れの後にＰＲＡＣＨを使用することと、ハンドオーバ、ＲＬＦ、または同期外れに後続する第１のアップリンク共有チャネル送信においてと、を含み得る。
【００３０】
[0043]航空機トランシーバに必要とされるタイミングアドバンスの比較的速い変化により、いくつかの例では、タイミングアドバンス生成器などの外部ソースが、ＵＥにタイミングアドバンス情報を与え得る。場合によっては、タイミングアドバンス情報は、ＵＥまたはＵＥに関連付けられたビークル（たとえば、航空機１１５）の位置、速度、または加速度を含み得る。タイミングアドバンス生成器は、航空機のナビゲーションシステムなど、外部エンティティからタイミングアドバンス情報を取得し得る。そのようなタイミングアドバンス生成器は、航空機の全地球測位システム（ＧＰＳ）位置と、ワイヤレス通信のために使用され得る近くの基地局のＧＰＳ位置の事前知識とを使用して、所与の基地局と航空機中にあるＵＥとの間の遅延を表すタイミング情報を与え得る。そのようなタイミングアドバンス生成器は、ＵＥと基地局との間のセッション全体中に周期的にタイミング情報を与え得、適用されるべき実際のタイミングアドバンスは、上述の時間インスタンスの各々について導出され得る。さらに、基地局はまた、ＬＴＥ規格において定義されているタイミングアドバンスに対する更新を送り得る。いくつかの態様では、タイミングアドバンスは、１つまたは複数の内部タイミングアドバンス構成要素（たとえば、受信時間トラッキングループ）または外部ソースの組合せから取得され得る。一例では、タイミングアドバンスは、基地局、内部受信機時間トラッキングループ、およびタイミングアドバンス生成器からの情報、またはそれらの任意の組合せを使用することによって決定され得る。たとえば、タイミングアドバンスは、内部受信機時間トラッキングループとタイミングアドバンス生成器とからの情報を利用すること（たとえば、組み合わせること）によって取得され得る。外部ソースからの情報の組合せは、線形または非線形であり得る。
【００３１】
[0044]いくつかの例では、タイミングアドバンス要件は、０〜２．１ｍｓ程度のものであり得、それは、３５０キロメートルの最大セルサイズカバレージを与え得る。他の例では、より大きいセルサイズがサポートされ、関連するタイミングアドバンスが２．１ｍｓよりも大きくなり得る。様々な展開によれば、送信のためのフレーム構造は、信号送信および遷移に十分な時間を与えるために、増加した伝搬遅延を可能にするように変更され得る。さらに、接続モードでは、基地局は、ＬＴＥ規格において定義されたタイミングアドバンスコマンドが（ランダムアクセス応答の場合を除いて）タイミング調整限界［−３１×１６，３２×１６］Ｔｓを有するので、測定期間にわたってＰＵＳＣＨまたはＰＵＣＣＨ送信のために＋／−１６μｓよりも大きいタイミングスルー（timing slew）を報告することが可能でないことがある。ＬＴＥ規格によれば、Ｔｓ＝１／（１５０００＊２０４８）秒である。したがって、タイミングアドバンスが適用されるとき、いくつかの例では、基地局が、測定期間にわたって接続モードでＬＴＥ規格によって許容される限界を超えるＵＬタイミングの変化を知覚しないように、タイミングアドバンスが適用されることがある。
【００３２】
[0045]ＬＴＥ規格の様々な実装形態によれば、アップリンク送信の場合、約６７０μｓ（２０５１２＊Ｔｓ）である最大タイミングアドバンスが確立され得る。さらに、述べたように、そのようなシステムにおけるサブフレーム持続時間は１ｍｓである。したがって、空対地システムのための上記で説明したような２．１ｍｓ最大タイミングアドバンスは、規格外タイミングアドバンスであり、その上、サブフレーム持続時間を越える。場合によっては、（たとえば、ＬＴＥ規格によれば）ランダムアクセスチャネル送信についてタイミングアドバンスがサポートされないことがある。しかしながら、空対地システムは、規格定義された物理ランダムアクセスチャネル（ＰＲＡＣＨ）フォーマットが大きいセルサイズをサポートし得るように、本明細書で説明するタイミングアドバンスを利用し得る。したがって、本明細書で説明する例のうちの多くについて、ＰＵＳＣＨ送信に関して説明するが、これらの概念は、ＰＲＡＣＨ、物理アップリンク制御チャネルＰＵＣＣＨ、復調基準信号（ＤＭＲＳ）、およびサウンディング基準信号（ＳＲＳ）送信など、任意のアップリンク物理信号またはそれらの変形態にも適用され得る。
【００３３】
[0046]図２は、本開示の様々な態様による、アップリンクおよびダウンリンクサブフレームに対する整数タイミングアドバンスおよび小数タイミングアドバンスとして実装されたタイミングアドバンスの例２００の図である。この例では、総タイミングアドバンス２０５は、１ｍｓを超えることがあり、２つの部分、すなわち、整数部分２１５と小数部分２１０とに分解され、図１のＵＥ１１５などのＵＥによってアップリンク送信に適用され得る。この例では、ダウンリンク（ＤＬ）サブフレーム２〜５  ２２０〜２３５が、アップリンクサブフレーム３および４（すなわち、アップリンクサブフレーム２４０、２４５）に対して示されている。タイミングアドバンス２０５の整数部分２１５は、ダウンリンクサブフレームと比較したＵＬサブフレームタイミング番号におけるアドバンスとして実装され得る。小数タイミングアドバンス２１０は、整数タイミングアドバンス２１５と組み合わせられたときに総タイミングアドバンス２０５を実現する、１ｍｓよりも小さい部分であり得る。小数タイミングアドバンス２１０は、いくつかの例では、ＬＴＥ  ＵＥ実装形態／アーキテクチャのタイミング制約を条件として、サブフレーム内で適用可能なときに、アップリンクサブフレームタイミング上のリタード／アドバンスとして実装され得る。
【００３４】
[0047]したがって、整数部分２１５とともに、タイミングアドバンスの完全な範囲がカバーされ得る。アップリンクサブフレーム２４０、２４５は、たとえば、ＰＵＳＣＨサブフレームであり得る。さらに、いくつかの実装形態では、ＬＴＥ  ＰＲＡＣＨはタイミングアドバンスをサポートしない。いくつかの例によれば、そのようなタイミングアドバンス２０５は、ＰＲＡＣＨ送信中にも実装されることがあり、（いくつかの展開によれば、何らかのバイアスが適用された後に）総タイミングアドバンス２０５を実現するために同様のタイミングアドバンス２０５区分が使用され得る。場合によっては、バイアスは、応答時間期間に対するＰＲＡＣＨ要求の時間中の遅延低減を考慮するための、適用されたタイミングアドバンスにおける小さい低減を指すことがある。したがって、タイミングアドバンス２０５の整数成分２１５と小数成分２１０の両方が、ＰＲＡＣＨ送信上で適用され、整数成分２１５がアップリンクサブフレームアドバンスとして実装され、小数成分２１０が、アップリンクプロセス信号生成タイミングアドバンスに対するタイミングアドバンス／リタードとして実装され得る。さらに、ＰＲＡＣＨ／ＰＵＳＣＨ／ＰＵＣＣＨ／ＤＭＲＳ／ＳＲＳ送信の場合、このソリューションは、任意の無線フレームの第１のスケジュールされたアップリンクフレームで開始するか、あるいは、前のアップリンクフレームがミュートされたかまたはスケジュールされなかった場合には、無線フレームの任意の他の特定のアップリンクサブフレームにおいて開始する、導出されたアップリンクタイミングアドバンス２０５を適用し得る。場合によっては、前のアップリンクサブフレームが存在するとき、タイミングアドバンス変化は、ＬＴＥ規格において指定された基地局タイミングアドバンススルー(slew)レート限界の全体的要件に従い得る。後続のアップリンクサブフレームは、いくつかの例では、第１のアップリンクサブフレームと比較して、必要とされる総タイミングアドバンスの変化を有し得る。
【００３５】
[0048]様々な例によれば、タイミングアドバンスの整数成分は、サブフレームに関連付けられた１つまたは複数のサブフレーム依存パラメータを調整することによって実装され得る。たとえば、無線フレーム内のいくつかのサブフレームは、無線フレームのサブフレームのシーケンス中のサブフレームを識別する、スクランブリングシーケンスなどの特定のパラメータを有し得る。したがって、整数成分は、整数タイミングアドバンスを適用することより前に、サブフレーム番号と対応するようにサブフレーム依存パラメータを変更することによって実装され得る。そのようにして、サブフレームのワイヤレスアップリンク送信は、サブフレームのシーケンスの以前のダウンリンクサブフレーム境界に対応するように調整され得る。そのような調整は、複数のサブフレームによって進められ得るサブフレームのアップリンク処理を通して実装され得る（たとえば、調整は、ＰＵＳＣＨまたはＰＵＣＣＨにおける１つまたは２つのサブフレームの整数タイミングアドバンスであり得る）。スクランブリングシーケンスなど、ＬＴＥ規格において定義されたサブフレーム依存パラメータは、したがって、チャネル遅延の後に基地局において見られた信号のサブフレームに基づいて生成され得る。チャネル遅延の後に基地局によって見られた信号のサブフレームは、本明細書では「真の基地局サブフレーム（true base station subframe）」と呼ばれることがある。ＰＲＡＣＨ／ＰＵＳＣＨ／ＰＵＣＣＨおよびＤＭＲＳ信号に適用可能なときのサブフレーム依存パラメータのリストが表１において与えられる。
【００３６】
【表１】
2017522760.tif 000003
【００３７】
表１において、はいの指示は、対応するアップリンク物理チャネル処理がサブフレームインデックスに依存することを示し、いいえの指示は、対応するアップリンク物理チャネル処理がサブフレームインデックスに依存しないことを示す。
【００３８】
[0049]いくつかの例によれば、生成されたＰＵＳＣＨ信号が、１または２ｍｓ整数タイミングアドバンスを達成するために１つまたは２つのサブフレームだけ進められるとき、それらの信号を生成するために使用される実際のサブフレーム依存パラメータは、アドバンスが適用された後のサブフレームに基づかず、代わりに、タイミングアドバンスより前のサブフレーム番号に基づく。上記で説明したように、タイミングアドバンスより前のこのサブフレーム番号が「真の基地局サブフレーム」と呼ばれることがあるが、それは、チャネルにおける遅延に適した推定されたタイミングアドバンスによって決定された時間にアップリンク信号が送られるとき、基地局は、チャネルが遅延を有しないかのように、タイミングアドバンスを生成することより前のサブフレーム番号（真の基地局サブフレーム）において信号を受信することになるからである。
【００３９】
[0050]次に図３を参照しながら、本開示の様々な態様による、小数タイミングアドバンスの例３００の図について説明する。この例では、ダウンリンクサブフレーム３２０〜３３５に対するアップリンクサブフレーム３１０、３１５のワイヤレスアップリンク送信を開始すべき時間を調整するために、小数成分３０５が使用され得る。上述のように、標準的ＬＴＥ  ＵＥ実装形態は、約６７０μｓである（または、ＵＥ実装制限に応じて、わずかにより大きい）、アップリンクサブフレームに適用され得るタイミングアドバンスの小数成分３０５に関する限界を有し得る。この限界は、本明細書ではＦｒａｃＴＡＬｉｍｉｔと呼ばれる。したがって、ＦｒａｃＴＡＬｉｍｉｔよりも小さいタイミングアドバンスが、図３に示されているように、ＵＬサブフレーム信号生成タイミングにおいてアドバンスとして実装され得、図１のＵＥ１１５におけるものなど、確立されたＬＴＥ  ＵＥ実装形態に従って実行され得る。タイミングアドバンスの１つまたは複数の整数成分とともに小数成分３０５を適用することが、１つのサブフレームを超えるタイミングアドバンスを達成し得る。
【００４０】
[0051]しかしながら、場合によっては、タイミングアドバンスの小数成分は、ＦｒａｃＴＡＬｉｍｉｔよりも大きいが、１よりも小さい。そのようなシナリオでは、タイミングアドバンスの小数成分の全範囲は、０〜１ｍｓである。次に図４を参照しながら、本開示の様々な態様による、そのような状況の例４００について説明する。いくつかの例では、１つの完全な整数だけタイミングアドバンスを進めることと、小数成分と整数成分との間の差だけ送信の開始時間を遅延させることとを通して、図１のＵＥ１１５など、ＵＥによって、ＦｒａｃＴＡＬｉｍｉｔを超える小数成分が実装され得る。したがって、図４の小数成分４３０は、ダウンリンクサブフレーム４４５〜４６０に対して、整数成分４３５を適用することと、１−ＴＡに等しい値の間のアップリンクサブフレーム信号生成タイミングにおいて、タイミングリタード４２５を適用することとを通して実装され得る。ＴＡは、ミリ秒（ｍｓ）の単位での必要とされる総小数タイミングアドバンスであり得る。したがって、基地局は、チャネル遅延後に、有効受信フレームタイミング誤差／オフセットを見ないことになる。
【００４１】
[0052]したがって、ＦｒａｃＴＡＬｉｍｉｔを越える必要とされるタイミングアドバンスの場合、ソリューションは、適切なタイミングリタードをもつ整数タイミングアドバンスとして実装され得る。図４に、ＵＥにおけるアップリンクデータ処理パイプラインの一例をも示す。図示のように、ＵＥアップリンク物理信号生成タスクは、真の基地局サブフレームより前のサブフレームにわたって拡散される。ブロック４０５において、ＵＥは、実際のアップリンク（ＵＬ）物理信号生成より前にアップリンクデータ処理を実行し得る。そのようなデータ処理は、たとえば、インターネットプロトコル（ＩＰ）、パケットデータコンバージェンスプロトコル（ＰＤＣＰ）、無線リソース制御（ＲＲＣ）、無線リンク制御（ＲＬＣ）、メディアアクセス制御（ＭＡＣ）処理、および制御情報生成を含み得る。ブロック４１５において、ＵＥは、送信より１サブフレーム前である時間に、ＵＬ  ＳＦ３物理レイヤデータおよび制御処理を実行し得る。しかしながら、タイミングアドバンスの整数成分４３５の存在により、ブロック４１５における処理はストール(stalled)させられ得、ブロック４２０において、物理信号生成および確認応答ハードウェア構成が実行され得る。ダウンリンクに整合されたアップリンクサブフレームの元の位置は、ブロック４４０において示されている。
【００４２】
[0053]次に図５を参照しながら、様々な例による、１または２ｍｓよりも大きいタイミングアドバンスの実装形態５００について説明する。総タイミングアドバンス５２５が（１または２ｍｓと等価な）１つまたは２つの整数成分５３０よりも大きいとき、タイミングアドバンス５２５は、整数成分５３０と小数成分５３５との組合せとして、図１のＵＥ１１５など、ＵＥによって実装され得る。ＵＥにおけるアップリンクデータ処理パイプラインは、そのような例では、真の基地局サブフレームより前のサブフレームにわたって拡散され、物理的生成が修正され得る。ブロック５０５において、図４に関して上記で説明したのと同様に、ＵＥは、実際のアップリンク（ＵＬ）物理信号生成より前にアップリンクデータ処理を実行し得る。ブロック５１５において、ＵＥは、送信より２サブフレーム前である時間に、ＵＬ  ＳＦ３物理レイヤデータおよび制御処理を実行し得る。ブロック５２０において、ＵＥは、タイミングアドバンス５２５の整数成分と小数成分の両方を組み込んだ物理信号生成および送信を実行し得る。タイミングアドバンスなしにダウンリンクに整合されたアップリンクサブフレームの元の位置は、ブロック５４０において示されており、ダウンリンクサブフレームがブロック５４５〜５６０において示されている。
【００４３】
[0054]上記で説明した方法のうちの１つを使用して初期タイミングアドバンスが適用されると、ＵＥはタイミングアドバンスを導出するための１次ソースとしてのタイミングアドバンス生成器からの情報を使用し続け得る。場合によっては、ＵＥは、タイミングアドバンスを導出するために、１つまたは複数の内部または外部エンティティからのタイミングアドバンス情報を使用し得る。たとえば、ＵＥは、約＋／−１６μｓの範囲を有する、ベースラインＬＴＥにおいて定義されている基地局から受信されるＴＡ調整とともに、タイミングアドバンス生成器情報を使用し得る。追加または代替として、タイミングアドバンスは、内部受信機時間トラッキングループからのタイミングアドバンス情報に少なくとも部分的に基づいて導出され得る。したがって、タイミングアドバンスは、外部または内部ソース（たとえば、基地局、時間トラッキングループ、ＧＰＳなど）の任意の組合せからの情報を使用して決定され得る。場合によっては、タイミングアドバンス情報は、ＵＥの位置、速度、または加速度を含み得る。「ｘ」が単位ミリ秒の整数値である場合、新しい必要とされるタイミングアドバンスが、「ｘ」＋ＦｒａｃＴＡＬｉｍｉｔ境界を変更するかまたはそれを越えるときはいつでも、ＵＥは、小数タイミングアドバンスから整数タイミングアドバンスに切り替え得る。このことは、接続失敗と後続の接続再確立とを生じることも生じないこともある。様々な例によれば、そのような遷移は、接続を維持しながら実装され得る。
【００４４】
[0055]次に図６を参照しながら、整数から小数へのタイミングアドバンス境界遷移の例６００について説明する。様々な例によれば、ＴＤＤシステムの場合、整数から小数へのタイミングアドバンス境界遷移およびその逆の遷移中に、呼ドロップが回避され得る。場合によっては、図１のＵＥ１１５など、ＵＥは、それがデータを受信し、次いでデータをオーバージエアで送るとき、確立されたデータ処理パイプラインに従ってアップリンクデータ処理を実行し得る。ＦｒａｃＴＡＬｉｍｉｔよりも小さいＴＡのためのそのようなデータ処理パイプラインシーケンスの一例が、図６に示されている。上記で説明したのと同様に、そのようなデータ処理パイプラインは、真の基地局サブフレームより前のサブフレームにわたって拡散され得る。ブロック６０５において、図４に関して上記で説明したのと同様に、ＵＥは、実際のアップリンク（ＵＬ）物理信号生成より前にアップリンクデータ処理を実行し得る。ブロック６１５において、ＵＥは、送信より１サブフレーム前である時間に、ＵＬ  ＳＦ３物理レイヤデータおよび制御処理を実行し得る。ブロック６２０において、ＵＥは、物理信号生成送信を実行し得る。タイミングアドバンス６３５は物理信号生成および送信に適用され得、ダウンリンクに整合されたアップリンクサブフレームの元の位置は、ブロック６４０において示されており、ダウンリンクサブフレームがブロック６４５〜６６０において示されている。
【００４５】
[0056]様々な例によれば、整数から小数へのまたはその逆の変更にタイミングアドバンスが適用されるとき、パイプラインの処理を簡略化するために、２ｍｓの最大整数タイミングアドバンスがあると仮定すると、パイプラインは、ブロック６０５、６１０、６１５におけるすべてのＵＬ処理が起こることを保証するように修正される。いくつかの例では、最大値は、図１の基地局１０５などの特定の基地局についてのセルサイズが２ｍｓのＴＡを必要としないことが知られている場合、１ｍｓに低減され得る。必要とされるＴＡが「ｘ」＋ＦｒａｃＴＡＬｉｍｉｔよりも小さいとき、（「ｘ」は整数値である）、２または１（２−「ｘ」）ｍｓの追加サブフレームストール(stall)が、パイプラインに、およびブロック６２０における最終段階に導入され得る（すなわち、小数タイミングアドバンスのみが適用される）。たとえば、必要とされるＴＡが２ｍｓであるとき、パイプラインは、２サブフレームアドバンスを有するようにセットアップされ、ストールは必要とされない。このことは、実装を簡略化し、処理の最終段階、物理信号生成ブロック６２０のみが、瞬間的タイミングアドバンス位置を認識する必要があることを保証し得る。したがって、この例において示されているように、他のブロック６０５〜６１５は、セルサイズに応じて、２サブフレーム前にまたは１サブフレーム前に処理される。１つまたは２つのサブフレームに関して説明したが、本明細書で説明する技法は、フレーム構造がそれに応じて変更されるならば、他の値（たとえば、３つのサブフレーム）のタイミングアドバンスのために実装され得る。空対地通信システムの様々な実装形態によれば、全体的最小ＨＡＲＱラウンドトリップ時間は、より長い伝搬遅延を補償するために対応して増加させられる。たとえば、全体的最小ＨＡＲＱラウンドトリップ時間は６つのサブフレームに増加させられ得、したがって、データ処理パイプラインにおける１または２ｍｓのアドバンスが可能である。
【００４６】
[0057]次に図７を参照しながら、タイミングアドバンスの２つの場合についてのデータ処理パイプラインの例７００について説明する。例７００では、２つの場合は、１＋ＦｒａｃＴＡＬｉｍｉｔの最大タイミングアドバンスをもつセルサイズについて、１ｍｓストールをもつ、ＦｒａｃＴＡＬｉｍｉｔよりも小さいタイミングアドバンスと、ストールをもたない、１ｍｓよりも大きいが（１＋ＦｒａｃＴＡＬｉｍｉｔ）よりも小さいタイミングアドバンスとを実装し得る。上記で説明したのと同様に、そのようなデータ処理パイプラインは、サブフレームにわたって拡散され得る。ブロック７０５において、図４に関して上記で説明したのと同様に、ＵＥは、実際のアップリンク（ＵＬ）物理信号生成より前にアップリンクデータ処理を実行し得る。ブロック７１５において、ＵＥは、送信より１サブフレーム前である時間に、物理信号生成および確認応答ハードウェア構成を実行し得る。ブロック７２０において、ＵＥは、物理信号生成送信を実行し得る。タイミングアドバンスの小数成分７３５は、ブロック７２０の物理信号生成および送信に適用され得る。ダウンリンクに整合されたアップリンクサブフレームの元の位置は、ブロック７３０において示されており、ダウンリンクサブフレームがブロック７４５〜７６０において示されている。整数タイミングアドバンスが必要とされない場合、ブロック７１５の処理は、ブロック７２５において示されているようにストールさせられ得、ブロック７１５および７２０の処理は、ブロック７１５−ａおよび７２０−ａにおいて示されているようにストールさせられ、実行され得る。
【００４７】
[0058]図４は、１＋ＦｒａｃＴＡＬｉｍｉｔの最大の必要とされるＴＡ範囲をもつシステムについてＦｒａｃＴＡＬｉｍｉｔよりも大きいＴＡと、１ｍｓよりも小さいＴＡとのためのデータ処理パイプラインについて説明した。それは、前に説明したようにタイミングアドバンスの整数成分として効果的に実装されるので、そのシナリオも、１＋ＦｒａｃＴＡＬｉｍｉｔの最大の必要とされるＴＡをもつシステムのコンテキストにおいて考慮されるとき、ストールを必要としない。空対地システムの範囲が２．１ｍｓの最大タイミングアドバンス要件のために拡張されなければならない場合、上記の概念は拡張され得る。たとえば、必要とされるＴＡがＦｒａｃＴＡＬｉｍｉｔよりも小さいとき、小数タイミングアドバンスのための最大ストールは２ｍｓであり得る。必要とされるＴＡがＦｒａｃｔＴＡＬｉｍｉｔよりも大きいが、［１＋ＦｒａｃｔＴＡＬｉｍｉｔ］よりも小さいとき、最大ストールは１ｍｓであり得る。場合によっては、（たとえば、必要とされるＴＡが、［１＋ＦｒａｃＴＡＬｉｍｉｔ］よりも大きいが、２．１ｍｓよりも小さいとき）ストールがないことがある。
【００４８】
[0059]タイミングアドバンスが、［ｘ＋ＦｒａｃＴＡＬｉｍｉｔ］未満から［ｘ＋ＦｒａｃＴＡＬｉｍｉｔ］超に、またはその逆に動的に変化し、「ｘ」が整数値であるとき、ＵＬタイミングアドバンスはＵＬタイミングリタードに変更され、またはその逆も同様であり得る。そのような変更は、チャネルに対するスルーレート制限に影響を及ぼすことなしで行われ得、ＵＥ実装制限によって限定され得る。たとえば、ＵＥがタイミングアドバンスからタイミングリタードへ境界を越えるとき、遷移は、接続失敗と接続再確立とを生じることがある。いくつかの例では、図１のワイヤレス通信システム１００のいくつかの実装形態など、ＴＤＤベースのシステムは、実際のアップリンク送信が影響を及ぼされないように、利用可能なＴＤＤ  ＤＬサブフレームにわたってＵＬタイミングをスタッガし得、接続失敗が回避され得る。
【００４９】
[0060]そのようなスタガリング技法は、スタガリングの例８００が示されている、図８に示されている。この例では、初期小数ＴＡ成分８０５が確立され、ＴＡ調整が、整数成分を増分することと、小数成分としてリタードを実装することとを必要とし得る。整数成分は実装され得、最終タイミングリタード８２５が、ダウンリンクサブフレーム８３５〜８６０を通して、ＴＡ８１０、８１５、８２０にわたってスタッガされ得る。次の無線フレームのＤＬサブフレーム２においてダウンリンクに整合されるＵＬサブフレームの元の位置は、ブロック８３０において示されている。そのような技法は、たとえば、ＴＤＤシステムにおいて実装され得る。いくつかの例では、ＴＤＤアップリンク／ダウンリンク（ＵＬ／ＤＬ）構成３では、６つの連続ＤＬフレーム（ＳＦ０〜ＳＦ５）があり、ＴＤＤ  ＵＬ／ＤＬ構成０では、３つのＤＬサブフレームがスタガリングのために使用され得る。いくつかの空対地システム（たとえば、２０ｍｓ周期性をもつＴＤＤ構成を使用するもの）では、変更は、最大連続ダウンリンクサブフレームを有する無線フレーム中に実装され得る。
【００５０】
[0061]ＴＤＤシステムにおけるＵＬタイミングジャンプが、ＤＬサブフレームにわたって行われるとき、それは、ＵＬフレームについての基地局スルーレート制限に影響を及ぼさない。さらに、複数のＤＬフレームがあるので、急激なＵＬタイミング変更が複数のＤＬフレームにわたって行われ、スタッガされ、それにより、実装を簡略化し、破局的な実行問題を回避し得る。図８における図は、タイミングアドバンスが、ＦｒａｃＴＡＬｉｍｉｔ境界を越えて進む前に、最初にＦｒａｃＴＡＬｉｍｉｔを下回るシナリオについてこのプロセスを示す。ＦｒａｃＴＡＬｉｍｉｔよりも大きいタイミングアドバンスは、上記で説明したように、整数タイミングアドバンスとともにタイミングリタードを含み得る。図８に示されているように、タイミングリタードが遷移プロセスの終了時にすでに達成されると、整数タイミングアドバンスも、ＰＵＳＣＨ信号またはＰＵＣＣＨ信号のいずれかを搬送し得る第１のスケジュールされたサブフレームにおいて適用される。整数タイミングアドバンスおよびタイミングリタードは一緒に、ＦｒａｃＴＡＬｉｍｉｔよりも大きい必要とされるＴＡを与える。
【００５１】
[0062]次に図９を参照しながら、本開示の様々な態様のためのタイミングアドバンス技法を実装するためのフローチャート９００について説明する。そのような技法は、たとえば、３５０ｋｍセルのためのタイミングアドバンスを適用し得る。フローチャート９００のＴＡは、ｍｓの単位であり得るが、他の単位が使用されることがある。ブロック９０５において、ＴＡ差を計算する。場合によっては、ＴＡ差は、新しいＴＡを計算することと、新しいＴＡを現在適用されているＴＡと比較することとによって決定され得る。そのようなシナリオでは、新しいＴＡは、１つまたは複数の外部または内部エンティティ（たとえば、内部受信機時間トラッキングループ、基地局、タイミングアドバンス生成器など）から取得された情報を利用することによって決定され得る。
【００５２】
[0063]ブロック９１０において、新しいＴＡと以前の無線フレームＴＡとの間の差の絶対値が、小数ＴＡ境界を越えるためのしきい値を超えるかどうかが決定される。ＴＡ差がしきい値を超える場合、図８に関して上記で説明したような、小数ＴＡ境界変更プロセス９１５が実行される。ブロック９１０において、ＴＡ差しきい値が超えられない場合、ブロック９２０において、ＴＡ（たとえば、９０５において計算された新しいＴＡ）が（図９では限界と呼ばれる）小数ＴＡ限界を超えるかどうかが決定される。ＴＡが小数ＴＡ限界を超えない場合、ブロック９２５において示されているように、アップリンク小数ＴＡ（ＵＬ小数ＴＡ）は、必要とされるＴＡに設定される。ブロック９３０において、２つのサブフレームの間データ処理をストールさせ、オーバージエア（ＯＴＡ：Over The Air）サブフレーム（ＯＴＡ  ＳＦ）において変更は存在しない。ブロック９３５において、ＵＥは、計算されたＯＴＡサブフレーム特性とＴＡアップリンク小数成分とを用いたアップリンク送信信号を生成する。
【００５３】
[0064]ブロック９２０においてＴＡが小数成分限界を超える場合、モジュロ、ＭＯＤ（ＴＡ，１）は（図９に制限として示されている）小数ＴＡ限界を超えるかどうかが決定される。ＭＯＤ（ＴＡ，１）が小数ＴＡ限界を超えない場合、ブロック９４５において示されているように、アップリンク小数ＴＡ成分は、総ＴＡ−ＴＡのフロアとして設定される。ここで、ＴＡのフロア（ｆｌｏｏｒ（ＴＡ））は、引数として（たとえば、ｍｓ単位の）総ＴＡにおいてとり、実数として表されるＴＡ以下の最も大きい整数を出力するための数学演算を使用する、数学関数を指すことがある。ブロック９５０において、ＵＥは、２−ＴＡのフロアのサブフレームの間処理をストールさせる。ブロック９５５において、ＵＥはｆｌｏｏｒ（ＴＡ）サブフレームの数だけアップリンク信号生成のためのＯＴＡサブフレーム特性を進め、ブロック９３５の動作が実行される。ブロック９４０において、ＭＯＤ（ＴＡ，１）がブロック９４０における小数ＴＡ限界を超えると決定された場合、ブロック９６０において示されているように、アップリンク小数ＴＡ成分は、ＭＯＤ（ＴＡ，１）−１に基づいてタイミングリタードとして設定される。ブロック９６５において、ＵＥは、２−ＴＡのシーリングの間処理をストールさせる。ここで、ＴＡのシーリング（ｃｅｉｌｉｎｇ（ＴＡ））は、引数として（たとえば、ｍｓ単位の）総ＴＡ値においてとり、実数として表されるＴＡ以上である最も小さい整数ＴＡ値を出力するために数学演算を使用する、数学関数を指すことがある。ブロック９７０において、ＵＥは、ｃｅｉｌｉｎｇ（ＴＡ）サブフレームに基づく数だけアップリンク信号生成のためのＯＴＡサブフレーム特性を進め、ブロック９３５の動作が実行される。
【００５４】
[0065]したがって、必要とされる総タイミングアドバンスに基づく、図９のフローチャート９００は、３つのパラメータ、すなわち、（アップリンクサブフレームがオーバージエアで（たとえば、ＯＴＡサブフレーム中で）それにおいて送られるサブフレーム位置を決定する、アップリンクサブフレームの時間単位でのアドバンスを計算するために使用される）適用される整数タイミングアドバンスと、アップリンク信号生成の最終段階において必要とされるストールサブフレームの番号と、ＯＴＡアップリンクサブフレームのアップリンク信号生成タイミングに適用される小数タイミングアドバンス／リタードとを計算する。本例は、最高２つのサブフレームの整数タイミングアドバンスを対象とするが、本明細書で開示する技法は、適切なフレーム構造修正が行われるならば、任意の値の整数タイミングアドバンスのために実装され得る。
【００５５】
[0066]図１０Ａに、様々な実施形態による、ワイヤレス通信のための改善されたタイミングアドバンス動作のためのＵＥ１１５−ｂのブロック図１０００−ａを示す。ＵＥ１１５−ａは、図１を参照しながら説明したＵＥ１１５の１つまたは複数の態様の一例であり得る。ＵＥ１１５−ｂは、受信機１００５、タイミングアドバンスモジュール１０１０、または送信機１０１５を含み得る。ＵＥ１１５−ｂはプロセッサをも含み得る。これらの構成要素の各々は互いと通信していることがある。
【００５６】
[0067]ＵＥ１１５−ｂの構成要素は、適用可能な機能の一部または全部をハードウェアで実行するように適応された少なくとも１つの特定用途向け集積回路（ＡＳＩＣ）を用いて、個々にまたはまとめて実装され得る。代替的に、それらの機能は、少なくとも１つの集積回路（ＩＣ）上で、１つまたは複数の他の処理ユニット（またはコア）によって実行され得る。他の実施形態では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００５７】
[0068]受信機１００５は、パケット、ユーザデータ、または様々な情報チャネル（たとえば、制御チャネル、データチャネルなど）に関連付けられた制御情報などの情報を受信し得る。情報が、タイミングアドバンスモジュール１０１０に、およびＵＥ１１５−ｂの他の構成要素に受け渡され得る。いくつかの例では、受信機１００５は、ＵＥ１１５−ｂに関連付けられたタイミングアドバンス生成器からタイミングアドバンス情報を受信するように構成され得る。いくつかの例では、タイミングアドバンス生成器は、サービング基地局に対するＵＥの位置、ＵＥ１１５−ｂの速度、および方位情報に基づいてタイミングアドバンス情報を連続的に生成し得る。
【００５８】
[0069]上記で説明したのと同様に、タイミングアドバンスモジュール１０１０は、基地局へのアップリンクサブフレームの送信のためのタイミングの調整に関係する機能を実行するように構成され得る。詳細には、タイミングアドバンスモジュール１０１０は、タイミングアドバンスの整数成分とタイミングアドバンスの小数成分とを決定するように構成され得る。タイミングアドバンスモジュール１０１０は、送信機１０１５から送信されたアップリンクサブフレームが、基地局に送信された他のサブフレームと実質的に同期してサービング基地局に到着するように、タイミングアドバンスを実装し得る。
【００５９】
[0070]送信機１０１５は、ＵＥ１１５−ｂの他の構成要素から受信された１つまたは複数の信号を送信し得る。いくつかの例では、送信機１０１５は、トランシーバモジュールにおいて受信機１００５とコロケートされ得る。送信機１０１５は単一のアンテナを含み得るか、またはそれは複数のアンテナを含み得る。いくつかの例では、送信機１０１５は、ＵＬリソースの許可において受信されたリソースを使用してデータを送信するように構成され得る。
【００６０】
[0071]図１０Ｂに、本開示の様々な態様による、改善されたタイミングアドバンス動作のためのＵＥ１１５−ｃのブロック図１０００を示す。ＵＥ１１５−ｃは、図１または図１０Ａを参照しながら説明したＵＥ１１５の１つまたは複数の態様の一例であり得る。ＵＥ１１５−ｃは、受信機１００５−ａ、タイミングアドバンスモジュール１０１０−ａ、または送信機１０１５−ａを含み得る。ＵＥ１１５−ｃはプロセッサをも含み得る。これらの構成要素の各々は互いと通信していることがある。タイミングアドバンスモジュール１０１０−ａはまた、整数ＴＡ決定モジュール１０２５と、小数ＴＡ決定モジュール１０３０と、タイミングアドバンス調整モジュール１０３５とを含み得る。まとめて、タイミングアドバンスモジュール１０１０−ａおよびモジュール１０２５、１０３０、１０３５は、図２〜図９に関して上記で説明したようにタイミングアドバンス実装形態のうちの１つまたは複数の態様を実装し得る。
【００６１】
[0072]ＵＥ１１５−ｃの構成要素は、適用可能な機能の一部または全部をハードウェアで実行するように適応された少なくとも１つのＡＳＩＣを用いて、個々にまたはまとめて実装され得る。代替的に、それらの機能は、少なくとも１つのＩＣ上で、１つまたは複数の他の処理ユニット（またはコア）によって実行され得る。他の実施形態では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６２】
[0073]受信機１００５−ａは、タイミングアドバンスモジュール１０１０−ａに、およびＵＥ１１５−ｃの他の構成要素に受け渡され得る情報を受信し得る。受信機１００５−ａは、図１０の受信機１００５の一例であり得る。タイミングアドバンスモジュール１０１０−ａは、図１０Ａを参照しながら上記で説明した動作を実行するように構成され得、図１０Ａのタイミングアドバンスモジュール１０１０の一例であり得る。送信機１０１５−ａは、ＵＥ１１５−ｃの他の構成要素から受信された１つまたは複数の信号を送信し得る。送信機１０１５−ａは、図１０Ａの送信機１０１５の一例であり得る。
【００６３】
[0074]図１１に、様々な実施形態による、改善されたタイミングアドバンス動作のためのシステム１１００の図を示す。システム１１００は、図１、図１０Ａ、または図１０Ｂに関するＵＥ１１５の一例であり得るＵＥ１１５−ｄを含み得る。ＵＥ１１５−ｄは、図１０Ａまたは図１０Ｂのタイミングアドバンスモジュール１０１０の一例であり得る、タイミングアドバンスモジュール１０１０−ｂを含み得る。ＵＥ１１５−ｄはまた、プロセッサモジュール１１７０と、（ソフトウェア（ＳＷ）１１８５を含む）メモリ１１８０と、トランシーバモジュール１１１０と、１つまたは複数のアンテナ１１０５とを含み得、その各々は、（たとえば、１つまたは複数のバス１１４０を介して）互いに直接的または間接的に通信し得る。トランシーバモジュール１１１０は、上記で説明したように、（１つまたは複数の）アンテナ１１０５あるいは１つまたは複数のワイヤードまたはワイヤレスリンクを介して、１つまたは複数のネットワークと双方向に通信するように構成され得る。たとえば、トランシーバモジュール１１１０は、図１の基地局１０５と双方向に通信するように構成され得る。トランシーバモジュール１１１０は、パケットを変調し、変調されたパケットを送信のために（１つまたは複数の）アンテナ１１０５に与え、（１つまたは複数の）アンテナ１１０５から受信されたパケットを復調するように構成されたモデムを含み得る。ＵＥ１１５−ｄは単一のアンテナ１１０５を含み得るが、ＵＥ１１５−ｄはまた、複数のワイヤレス送信を同時に送信または受信することが可能な複数のアンテナ１１０５を有し得る。トランシーバモジュール１１１０はまた、１つまたは複数の基地局１０５と同時に通信することが可能であり得る。
【００６４】
[0075]メモリ１１８０は、ランダムアクセスメモリ（ＲＡＭ）および読取り専用メモリ（ＲＯＭ）を含み得る。メモリ１１８０は、実行されたとき、プロセッサモジュール１１７０に本明細書で説明する様々な機能（たとえば、タイミングアドバンス技法など）を実行させるように構成された命令を含んでいるコンピュータ可読、コンピュータ実行可能ソフトウェア／ファームウェアコード１１８５を記憶し得る。代替的に、ソフトウェア／ファームウェアコード１１８５は、プロセッサモジュール１１７０によって直接的に実行可能でないことがあるが、（たとえば、コンパイルされ実行されたとき）コンピュータに本明細書で説明する機能を実行させるように構成され得る。プロセッサモジュール１１７０はインテリジェントハードウェアデバイスを含み得る（たとえば、中央処理ユニット（ＣＰＵ）、マイクロコントローラ、ＡＳＩＣなどは、ＲＡＭおよびＲＯＭを含み得る）。メモリ１１８０は、実行されたとき、プロセッサモジュール１１７０に本明細書で説明する様々な機能を実行させるように構成された命令を含んでいるコンピュータ可読、コンピュータ実行可能ソフトウェア／ファームウェアコード１１８５を記憶し得る。代替的に、ソフトウェア／ファームウェアコード１１８５は、プロセッサモジュール１１７０によって直接的に実行可能でないことがあるが、（たとえば、コンパイルされ実行されたとき）コンピュータに本明細書で説明する機能を実行させるように構成され得る。プロセッサモジュール１１７０は、インテリジェントハードウェアデバイス（たとえば、ＣＰＵ、マイクロコントローラ、ＡＳＩＣなど）を含み得る。
【００６５】
[0076]図１２は、本開示の様々な態様による、ワイヤレス通信システムにおけるタイミングアドバンスのための方法を示すフローチャート１２００を示す。フローチャート１２００の機能は、図１、図１０Ａ、図１０Ｂ、または図１１を参照しながら説明したように、ＵＥ１１５またはそれの構成要素によって実装され得る。いくつかの例では、フローチャート１２００のブロックは、タイミングアドバンスモジュール１０１０によって実行され得る。
【００６６】
[0077]ブロック１２０５において、ＵＥは、サブフレームのワイヤレスアップリンク送信を開始すべき時間を示すタイミングアドバンスを識別する。いくつかの例では、ブロック１２０５の機能は、図１０Ａ、図１０Ｂ、または図１１を参照しながら上記で説明したようにタイミングアドバンスモジュール１０１０によって、あるいは図１０Ｂの整数ＴＡ決定モジュール１０２５と小数ＴＡ決定モジュール１０３０とによって実行され得る。
【００６７】
[0078]ブロック１２１０において、ＵＥは、サブフレームのワイヤレスアップリンク送信を開始すべき時間を調整するために、サブフレーム持続時間に関する整数成分および小数成分としてタイミングアドバンスを適用する。いくつかの例では、ブロック１２１０の機能は、図１０Ａ、図１０Ｂ、または図１１を参照しながら上記で説明したようにタイミングアドバンスモジュール１０１０によって、あるいは図１０Ｂのタイミングアドバンス調整モジュール１０３５によって実行され得る。
【００６８】
[0079]ブロック１２１５において、ＵＥは、タイミングアドバンスによって示された時間にサブフレームのワイヤレスアップリンク送信を開始する。いくつかの例では、ブロック１２１５の機能は、図１０Ａ、図１０Ｂ、または図１１を参照しながら上記で説明したようにタイミングアドバンスモジュール１０１０によって、あるいは図１０Ｂのタイミングアドバンス調整モジュール１０３５によって実行され得る。
【００６９】
[0080]フローチャート１２００の方法は一実装形態にすぎないこと、ならびに本方法の動作、およびステップは、他の実装形態が可能であるように、並べ替えられるかまたは場合によっては修正され得ることに留意されたい。
【００７０】
[0081]図１３に、本開示の様々な態様による、ワイヤレス通信システムにおけるタイミングアドバンスのための方法を示すフローチャート１３００を示す。フローチャート１３００の機能は、図１、図１０Ａ、図１０Ｂ、または図１１を参照しながら説明したように、ＵＥ１１５またはそれの構成要素によって実装され得る。いくつかの例では、フローチャート１３００のブロックは、タイミングアドバンスモジュール１０１０によって実行され得る。
【００７１】
[0082]ブロック１３０５において、ＵＥは、初期サブフレームのためのタイミングアドバンスを識別する。いくつかの例では、ブロック１３０５の機能は、図１０Ａ、図１０Ｂ、または図１１を参照しながら上記で説明したようにタイミングアドバンスモジュール１０１０によって、あるいは図１０Ｂの整数ＴＡ決定モジュール１０２５と小数ＴＡ決定モジュール１０３０とによって実行され得る。ブロック１３１０において、ＵＥは、初期アップリンクサブフレームのタイミングアドバンスに対する１つまたは複数の後続のアップリンクサブフレームのさらなるタイミングアドバンスを識別する。いくつかの例では、ブロック１３１０の機能は、図１０Ａ、図１０Ｂ、または図１１を参照しながら上記で説明したようにタイミングアドバンスモジュール１０１０によって、あるいは図１０Ｂの整数ＴＡ決定モジュール１０２５と小数ＴＡ決定モジュール１０３０とによって実行され得る。
【００７２】
[0083]ブロック１３１５において、ＵＥは、さらなるタイミングアドバンスが整数成分の変化を備えると決定する。いくつかの例では、ブロック１３１５の機能は、図１０Ａ、図１０Ｂ、または図１１を参照しながら上記で説明したようにタイミングアドバンスモジュール１０１０によって、あるいは図１０Ｂの小数ＴＡ決定モジュール１０３０によって実行され得る。ブロック１３２０において、ＵＥは、小数成分の対応する変化を決定する。いくつかの例では、ブロック１３２０の機能は、図１０Ａ、図１０Ｂ、または図１１を参照しながら上記で説明したようにタイミングアドバンスモジュール１０１０によって、あるいは図１０Ｂのタイミングアドバンス調整モジュール１０３５によって実行され得る。ブロック１３２５において、ＵＥは、複数のサブフレームにわたってスタッガされた整数成分の変化と対応する小数成分の変化とを適用する。ＴＡの変化がスタッガされ得るサブフレームの数は、たとえば、ＴＡの変化の大きさ、ならびにＴＡの変更を行うために利用可能なダウンリンクサブフレームの数に依存し得る。いくつかの例では、ブロック１３２５の機能は、図１０Ａ、図１０Ｂ、または図１１を参照しながら上記で説明したようにタイミングアドバンスモジュール１０１０によって、あるいは図１０Ｂのタイミングアドバンス調整モジュール１０３５によって実行され得る。
【００７３】
[0084]フローチャート１３００の方法は一実装形態にすぎないこと、ならびに本方法の動作、およびステップは、他の実装形態が可能であるように、並べ替えられるかまたは場合によっては修正され得ることに留意されたい。
【００７４】
[0085]添付の図面に関して上記に記載した詳細な説明は、例示的な実施形態について説明しており、実装され得るまたは特許請求の範囲内に入る実施形態のみを表すものではない。この明細書全体にわたって使用される「例示的」という用語は、「例、事例、または例示の働きをすること」を意味し、「好ましい」または「他の実施形態よりも有利な」を意味しない。詳細な説明は、説明する技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスはブロック図の形式で示されている。
【００７５】
[0086]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７６】
[0087]本明細書の開示に関して説明した様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、あるいは任意の他のそのような構成）としても実装され得る。
【００７７】
[0088]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、異なる物理ロケーションにおいて機能の部分が実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００７８】
[0089]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用するディスク（disk）およびディスク（disc）は、コンパクトディスク（disk）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【００７９】
[0090]本開示についての以上の説明は、当業者が本開示を作成または使用することができるように与えたものである。本開示への様々な修正は当業者には容易に明らかとなり、本明細書で定義した一般原理は、本開示の範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示した原理および新規の特徴に一致する最も広い範囲を与えられるべきである。
【００８０】
[0091]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびロングタームエボリューション（ＬＴＥ）アドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−Ａ、およびモバイル通信用グローバルシステム（ＧＳＭ）は、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
【図１】
2017522760.tif 000004
【図２】
2017522760.tif 000005
【図３】
2017522760.tif 000006
【図４】
2017522760.tif 000007
【図５】
2017522760.tif 000008
【図６】
2017522760.tif 000009
【図７】
2017522760.tif 000010
【図８】
2017522760.tif 000011
【図９】
2017522760.tif 000012
【図１０Ａ】
2017522760.tif 000013
【図１０Ｂ】
2017522760.tif 000014
【図１１】
2017522760.tif 000015
【図１２】
2017522760.tif 000016
【図１３】
2017522760.tif 000017
【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
サブフレームのワイヤレスアップリンク送信を開始すべき時間を示すタイミングアドバンスを識別することと、
前記サブフレームの前記ワイヤレスアップリンク送信を開始すべき前記時間を調整するために、サブフレーム持続時間に関する整数成分および小数成分として前記タイミングアドバンスを適用することと、
前記タイミングアドバンスによって示された前記時間に前記サブフレームの前記ワイヤレスアップリンク送信を開始することと
を備える、ワイヤレス通信の方法。
【請求項２】
前記整数成分を前記適用することが、
サブフレームのシーケンスの以前のダウンリンクサブフレーム境界に対応するように、前記サブフレームの前記ワイヤレスアップリンク送信を開始すべき前記時間を調整すること
を備える、請求項１に記載の方法。
【請求項３】
サブフレームの前記シーケンスが、時分割複信（ＴＤＤ）サブフレームのシーケンスに対応する、請求項２に記載の方法。
【請求項４】
サブフレームの前記シーケンスが、周波数分割複信（ＦＤＤ）サブフレームのシーケンスに対応する、請求項２に記載の方法。
【請求項５】
前記小数成分として前記タイミングアドバンスを前記適用することが、前記ワイヤレスアップリンク送信を開始すべき前記時間を、前記サブフレーム持続時間よりも小さい量だけ進めることを備える、請求項１に記載の方法。
【請求項６】
前記小数成分として前記タイミングアドバンスを前記適用することが、前記ワイヤレスアップリンク送信を開始すべき前記時間を、前記サブフレーム持続時間よりも小さい量だけ遅延させることを備える、請求項１に記載の方法。
【請求項７】
前記タイミングアドバンスを前記適用することが、
前記識別されたタイミングアドバンスをしきい値と比較することと、
前記比較に少なくとも部分的に基づいて前記整数成分に対する調整を決定することと、
前記識別されたタイミングアドバンスと前記決定された調整に基づく調整された整数成分との間の差として前記小数成分を計算することと
を備える、請求項１に記載の方法。
【請求項８】
前記小数成分が、前記サブフレーム持続時間よりも小さい、請求項７に記載の方法。
【請求項９】
前記サブフレームが、ユーザ機器から基地局に送信されたアップリンクサブフレームである、請求項１に記載の方法。
【請求項１０】
前記ユーザ機器が航空機送信機を備え、前記基地局が地上局を備える、請求項９に記載の方法。
【請求項１１】
前記ワイヤレスアップリンク送信が、物理ランダムアクセスチャネル（ＰＲＡＣＨ）、サウンディング基準信号（ＳＲＳ）、物理アップリンク共有チャネル（ＰＵＳＣＨ）および関連する復調基準信号（ＤＭＲＳ）、または物理アップリンク制御チャネル（ＰＵＣＣＨ）および関連する（ＤＭＲＳ）のうちの１つまたは複数上での送信を備える、請求項１に記載の方法。
【請求項１２】
前記サブフレームは、初期アップリンクサブフレームであり、
前記初期アップリンクサブフレームの前記タイミングアドバンスに対する１つまたは複数の後続のアップリンクサブフレームのさらなるタイミングアドバンスを識別すること、ここにおいて、前記１つまたは複数の後続のアップリンクサブフレームが、時分割複信（ＴＤＤ）サブフレームのシーケンスに対応する、
をさらに備える、請求項１に記載の方法。
【請求項１３】
前記さらなるタイミングアドバンスが前記整数成分の変化を備えると決定することと、
１つまたは複数のダウンリンクサブフレーム中に前記さらなるタイミングアドバンスを適用することと
をさらに備える、請求項１２に記載の方法。
【請求項１４】
前記小数成分の前記変化を前記適用することが、複数のダウンリンクサブフレームにわたってスタッガされる、請求項１３に記載の方法。
【請求項１５】
前記サブフレームの前記ワイヤレスアップリンク送信を前記開始することより前に、前記サブフレームに対してアップリンクデータ処理を実行することと、前記アップリンクデータ処理が、前記整数成分の最大値に従って実行される、
前記整数成分が前記整数成分の前記最大値よりも小さいことに応答して、前記アップリンクデータ処理の一部分をストールさせることと
をさらに備える、請求項１に記載の方法。
【請求項１６】
内部ソースからタイミングアドバンス情報を受信することと、
外部ソースからタイミングアドバンス情報を受信することと、ここにおいて、前記タイミングアドバンスを識別することが、前記内部ソースから受信された前記タイミングアドバンス情報および前記外部ソースから受信された前記タイミングアドバンス情報に少なくとも部分的に基づく、
をさらに備える、請求項１に記載の方法。
【請求項１７】
前記外部ソースとは別個である基地局からタイミングアドバンス情報を受信すること、ここにおいて、前記タイミングアドバンスを識別することが、前記基地局からの前記タイミングアドバンス情報に少なくとも部分的に基づき、ここにおいて、前記外部ソースの前記タイミングアドバンス情報が、前記ワイヤレスアップリンク送信を開始するワイヤレス通信デバイスに関連付けられた位置、速度、および加速度のうちの少なくとも１つを備える、
をさらに備える、請求項１６に記載の方法。
【請求項１８】
サブフレームのワイヤレスアップリンク送信を開始すべき時間を示すタイミングアドバンスを識別するための手段と、
前記サブフレームの前記ワイヤレスアップリンク送信を開始すべき前記時間を調整するために、サブフレーム持続時間に関する整数成分および小数成分として前記タイミングアドバンスを適用するための手段と、
前記タイミングアドバンスによって示された前記時間に前記サブフレームの前記ワイヤレスアップリンク送信を開始することと
を備える、ワイヤレス通信のための装置。
【請求項１９】
前記整数成分を適用するための前記手段が、
サブフレームのシーケンスの以前のダウンリンクサブフレーム境界に対応するように、前記サブフレームの前記ワイヤレスアップリンク送信を開始すべき前記時間を調整するための手段
を備える、請求項１８に記載の装置。
【請求項２０】
前記小数成分として前記タイミングアドバンスを適用するための前記手段が、前記ワイヤレスアップリンク送信を開始すべき前記時間を、前記サブフレーム持続時間よりも小さい量だけ進めるための手段を備える、請求項１８に記載の装置。
【請求項２１】
前記小数成分として前記タイミングアドバンスを適用するための前記手段が、前記ワイヤレスアップリンク送信を開始すべき前記時間を、前記サブフレーム持続時間よりも小さい量だけ遅延させるための手段を備える、請求項１８に記載の装置。
【請求項２２】
前記タイミングアドバンスを適用するための前記手段が、
前記識別されたタイミングアドバンスをしきい値と比較するための手段と、
前記比較に少なくとも部分的に基づいて前記整数成分に対する調整を決定するための手段と、
前記識別されたタイミングアドバンスと前記決定された調整に基づく調整された整数成分との間の差として前記小数成分を計算するための手段と
を備える、請求項１８に記載の装置。
【請求項２３】
プロセッサと、
前記プロセッサと電子通信しているメモリと、
前記メモリに記憶された命令と
を備え、前記命令が、
サブフレームのワイヤレスアップリンク送信を開始すべき時間を示すタイミングアドバンスを識別することと、
前記サブフレームの前記ワイヤレスアップリンク送信を開始すべき前記時間を調整するために、サブフレーム持続時間に関する整数成分および小数成分として前記タイミングアドバンスを適用することと、
前記タイミングアドバンスによって示された前記時間に前記サブフレームの前記ワイヤレスアップリンク送信を開始することと
を行うために前記プロセッサによって実行可能である、
ワイヤレス通信のための装置。
【請求項２４】
前記命令が、サブフレームのシーケンスの以前のダウンリンクサブフレーム境界に対応するように、前記サブフレームの前記ワイヤレスアップリンク送信を開始すべき前記時間を調整するために前記プロセッサによってさらに実行可能である、請求項２３に記載の装置。
【請求項２５】
前記命令が、前記ワイヤレスアップリンク送信を開始すべき前記時間を、前記サブフレーム持続時間よりも小さい量だけ進めるために前記プロセッサによってさらに実行可能である、請求項２３に記載の装置。
【請求項２６】
前記命令が、前記ワイヤレスアップリンク送信を開始すべき前記時間を、前記サブフレーム持続時間よりも小さい量だけ遅延させるために前記プロセッサによってさらに実行可能である、請求項２３に記載の装置。
【請求項２７】
ワイヤレス通信のためのコンピュータ実行可能コードを記憶する非一時的コンピュータ可読媒体であって、前記コードが、
サブフレームのワイヤレスアップリンク送信を開始すべき時間を示すタイミングアドバンスを識別することと、
前記サブフレームの前記ワイヤレスアップリンク送信を開始すべき前記時間を調整するために、サブフレーム持続時間に関する整数成分および小数成分として前記タイミングアドバンスを適用することと、
前記タイミングアドバンスによって示された前記時間に前記サブフレームの前記ワイヤレスアップリンク送信を開始することと
を行うためにプロセッサによって実行可能である、非一時的コンピュータ可読媒体。
【請求項２８】
前記コードが、
サブフレームのシーケンスの以前のダウンリンクサブフレーム境界に対応するように、前記サブフレームの前記ワイヤレスアップリンク送信を開始すべき前記時間を調整すること
を行うために前記プロセッサによって実行可能である、請求項２７に記載の非一時的コンピュータ可読媒体。
【請求項２９】
前記コードが、
前記ワイヤレスアップリンク送信を開始すべき前記時間を、前記サブフレーム持続時間よりも小さい量だけ進めること
を行うために前記プロセッサによって実行可能である、請求項２７に記載の非一時的コンピュータ可読媒体。
【請求項３０】
前記コードが、
前記ワイヤレスアップリンク送信を開始すべき前記時間を、前記サブフレーム持続時間よりも小さい量だけ遅延させること
を行うために前記プロセッサによって実行可能である、請求項２７に記載の非一時的コンピュータ可読媒体。
【手続補正２】
【補正対象書類名】明細書
【補正対象項目名】００８０
【補正方法】変更
【補正の内容】
【００８０】
[0091]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびロングタームエボリューション（ＬＴＥ）アドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−Ａ、およびモバイル通信用グローバルシステム（ＧＳＭ）は、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に、本願出願の当初の特許請求の範囲に記載された発明を付記する。
［Ｃ１］
サブフレームのワイヤレスアップリンク送信を開始すべき時間を示すタイミングアドバンスを識別することと、
前記サブフレームの前記ワイヤレスアップリンク送信を開始すべき前記時間を調整するために、サブフレーム持続時間に関する整数成分および小数成分として前記タイミングアドバンスを適用することと、
前記タイミングアドバンスによって示された前記時間に前記サブフレームの前記ワイヤレスアップリンク送信を開始することと
を備える、ワイヤレス通信の方法。
［Ｃ２］
前記整数成分を前記適用することが、
サブフレームのシーケンスの以前のダウンリンクサブフレーム境界に対応するように、前記サブフレームの前記ワイヤレスアップリンク送信を開始すべき前記時間を調整すること
を備える、Ｃ１に記載の方法。
［Ｃ３］
サブフレームの前記シーケンスが、時分割複信（ＴＤＤ）サブフレームのシーケンスに対応する、Ｃ２に記載の方法。
［Ｃ４］
サブフレームの前記シーケンスが、周波数分割複信（ＦＤＤ）サブフレームのシーケンスに対応する、Ｃ２に記載の方法。
［Ｃ５］
前記小数成分として前記タイミングアドバンスを前記適用することが、前記ワイヤレスアップリンク送信を開始すべき前記時間を、前記サブフレーム持続時間よりも小さい量だけ進めることを備える、Ｃ１に記載の方法。
［Ｃ６］
前記小数成分として前記タイミングアドバンスを前記適用することが、前記ワイヤレスアップリンク送信を開始すべき前記時間を、前記サブフレーム持続時間よりも小さい量だけ遅延させることを備える、Ｃ１に記載の方法。
［Ｃ７］
前記タイミングアドバンスを前記適用することが、
前記識別されたタイミングアドバンスをしきい値と比較することと、
前記比較に少なくとも部分的に基づいて前記整数成分に対する調整を決定することと、
前記識別されたタイミングアドバンスと前記決定された調整に基づく調整された整数成分との間の差として前記小数成分を計算することと
を備える、Ｃ１に記載の方法。
［Ｃ８］
前記小数成分が、前記サブフレーム持続時間よりも小さい、Ｃ７に記載の方法。
［Ｃ９］
前記サブフレームが、ユーザ機器から基地局に送信されたアップリンクサブフレームである、Ｃ１に記載の方法。
［Ｃ１０］
前記ユーザ機器が航空機送信機を備え、前記基地局が地上局を備える、Ｃ９に記載の方法。
［Ｃ１１］
前記ワイヤレスアップリンク送信が、物理ランダムアクセスチャネル（ＰＲＡＣＨ）、サウンディング基準信号（ＳＲＳ）、物理アップリンク共有チャネル（ＰＵＳＣＨ）および関連する復調基準信号（ＤＭＲＳ）、または物理アップリンク制御チャネル（ＰＵＣＣＨ）および関連する（ＤＭＲＳ）のうちの１つまたは複数上での送信を備える、Ｃ１に記載の方法。
［Ｃ１２］
前記サブフレームは、初期アップリンクサブフレームであり、
前記初期アップリンクサブフレームの前記タイミングアドバンスに対する１つまたは複数の後続のアップリンクサブフレームのさらなるタイミングアドバンスを識別すること、ここにおいて、前記後続のアップリンクサブフレームが、時分割複信（ＴＤＤ）サブフレームのシーケンスに対応する、
をさらに備える、Ｃ１に記載の方法。
［Ｃ１３］
前記さらなるタイミングアドバンスが前記整数成分の変化を備えると決定することと、
１つまたは複数のダウンリンクサブフレーム中に前記さらなるタイミングアドバンスを適用することと
をさらに備える、Ｃ１２に記載の方法。
［Ｃ１４］
前記小数成分の前記変化を前記適用することが、複数のダウンリンクサブフレームにわたってスタッガされる、Ｃ１３に記載の方法。
［Ｃ１５］
前記サブフレームの前記ワイヤレスアップリンク送信を前記開始することより前に、前記サブフレームに対してアップリンクデータ処理を実行することと、前記アップリンクデータ処理が、前記整数成分の最大値に従って実行される、
前記整数成分が前記整数成分の前記最大値よりも小さいことに応答して、前記アップリンクデータ処理の一部分をストールさせることと
をさらに備える、Ｃ１に記載の方法。
［Ｃ１６］
内部ソースからタイミングアドバンス情報を受信することと、
外部ソースからタイミングアドバンス情報を受信することと、ここにおいて、前記タイミングアドバンスを識別することが、前記内部ソースから受信された前記タイミングアドバンス情報および前記外部ソースから受信された前記タイミングアドバンス情報に少なくとも部分的に基づく、
をさらに備える、Ｃ１に記載の方法。
［Ｃ１７］
前記外部ソースとは別個である基地局からタイミングアドバンス情報を受信すること、ここにおいて、前記タイミングアドバンスを識別することが、前記基地局からの前記タイミングアドバンス情報に少なくとも部分的に基づき、ここにおいて、前記外部ソースの前記タイミングアドバンス情報が、前記ワイヤレスアップリンク送信を開始するワイヤレス通信デバイスに関連付けられた位置、速度、および加速度のうちの少なくとも１つを備える、
をさらに備える、Ｃ１６に記載の方法。
［Ｃ１８］
サブフレームのワイヤレスアップリンク送信を開始すべき時間を示すタイミングアドバンスを識別するための手段と、
前記サブフレームの前記ワイヤレスアップリンク送信を開始すべき前記時間を調整するために、サブフレーム持続時間に関する整数成分および小数成分として前記タイミングアドバンスを適用するための手段と、
前記タイミングアドバンスによって示された前記時間に前記サブフレームの前記ワイヤレスアップリンク送信を開始することと
を備える、ワイヤレス通信のための装置。
［Ｃ１９］
前記整数成分を適用するための前記手段が、
サブフレームのシーケンスの以前のダウンリンクサブフレーム境界に対応するように、前記サブフレームの前記ワイヤレスアップリンク送信を開始すべき前記時間を調整するための手段
を備える、Ｃ１８に記載の装置。
［Ｃ２０］
前記小数成分として前記タイミングアドバンスを適用するための前記手段が、前記ワイヤレスアップリンク送信を開始すべき前記時間を、前記サブフレーム持続時間よりも小さい量だけ進めるための手段を備える、Ｃ１８に記載の装置。
［Ｃ２１］
前記小数成分として前記タイミングアドバンスを適用するための前記手段が、前記ワイヤレスアップリンク送信を開始すべき前記時間を、前記サブフレーム持続時間よりも小さい量だけ遅延させるための手段を備える、Ｃ１８に記載の装置。
［Ｃ２２］
前記タイミングアドバンスを適用するための前記手段が、
前記識別されたタイミングアドバンスをしきい値と比較するための手段と、
前記比較に少なくとも部分的に基づいて前記整数成分に対する調整を決定するための手段と、
前記識別されたタイミングアドバンスと前記決定された調整に基づく調整された整数成分との間の差として前記小数成分を計算するための手段と
を備える、Ｃ１８に記載の装置。
［Ｃ２３］
プロセッサと、
前記プロセッサと電子通信しているメモリと、
前記メモリに記憶された命令と
を備え、前記命令が、
サブフレームのワイヤレスアップリンク送信を開始すべき時間を示すタイミングアドバンスを識別することと、
前記サブフレームの前記ワイヤレスアップリンク送信を開始すべき前記時間を調整するために、サブフレーム持続時間に関する整数成分および小数成分として前記タイミングアドバンスを適用することと、
前記タイミングアドバンスによって示された前記時間に前記サブフレームの前記ワイヤレスアップリンク送信を開始することと
を行うために前記プロセッサによって実行可能である、
ワイヤレス通信のための装置。
［Ｃ２４］
前記命令が、サブフレームのシーケンスの以前のダウンリンクサブフレーム境界に対応するように、前記サブフレームの前記ワイヤレスアップリンク送信を開始すべき前記時間を調整するために前記プロセッサによってさらに実行可能である、Ｃ２３に記載の装置。
［Ｃ２５］
前記命令が、前記ワイヤレスアップリンク送信を開始すべき前記時間を、前記サブフレーム持続時間よりも小さい量だけ進めるために前記プロセッサによってさらに実行可能である、Ｃ２３に記載の装置。
［Ｃ２６］
前記命令が、前記ワイヤレスアップリンク送信を開始すべき前記時間を、前記サブフレーム持続時間よりも小さい量だけ遅延させるために前記プロセッサによってさらに実行可能である、Ｃ２３に記載の装置。
［Ｃ２７］
ワイヤレス通信のためのコンピュータ実行可能コードを記憶する非一時的コンピュータ可読媒体であって、前記コードが、
サブフレームのワイヤレスアップリンク送信を開始すべき時間を示すタイミングアドバンスを識別することと、
前記サブフレームの前記ワイヤレスアップリンク送信を開始すべき前記時間を調整するために、サブフレーム持続時間に関する整数成分および小数成分として前記タイミングアドバンスを適用することと、
前記タイミングアドバンスによって示された前記時間に前記サブフレームの前記ワイヤレスアップリンク送信を開始することと
を行うためにプロセッサによって実行可能である、非一時的コンピュータ可読媒体。
［Ｃ２８］
前記コードが、
サブフレームのシーケンスの以前のダウンリンクサブフレーム境界に対応するように、前記サブフレームの前記ワイヤレスアップリンク送信を開始すべき前記時間を調整すること
を行うために前記プロセッサによって実行可能である、Ｃ２７に記載の非一時的コンピュータ可読媒体。
［Ｃ２９］
前記コードが、
前記ワイヤレスアップリンク送信を開始すべき前記時間を、前記サブフレーム持続時間よりも小さい量だけ進めること
を行うために前記プロセッサによって実行可能である、Ｃ２７に記載の非一時的コンピュータ可読媒体。
［Ｃ３０］
前記コードが、
前記ワイヤレスアップリンク送信を開始すべき前記時間を、前記サブフレーム持続時間よりも小さい量だけ遅延させること
を行うために前記プロセッサによって実行可能である、Ｃ２７に記載の非一時的コンピュータ可読媒体。
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
サブフレームのワイヤレスアップリンク送信を開始すべき時間を示すタイミングアドバンスを識別することと、
前記識別されたタイミングアドバンスとしきい値の比較に少なくとも部分的に基づいて整数成分を識別することと、
前記識別されたタイミングアドバンスと前記整数成分との間の差として小数成分を決定することと、
前記サブフレームの前記ワイヤレスアップリンク送信を開始すべき前記時間を調整するために、サブフレーム持続時間に関する前記整数成分および前記小数成分として前記タイミングアドバンスを適用することと、
前記タイミングアドバンスによって示された前記時間に前記サブフレームの前記ワイヤレスアップリンク送信を開始することと
を備える、ワイヤレス通信の方法。
【請求項２】
前記整数成分を前記適用することが、
サブフレームのシーケンスの以前のダウンリンクサブフレーム境界に対応するように、前記サブフレームの前記ワイヤレスアップリンク送信を開始すべき前記時間を調整すること
を備える、請求項１に記載の方法。
【請求項３】
サブフレームの前記シーケンスが、時分割複信（ＴＤＤ）サブフレームのシーケンスに対応する、請求項２に記載の方法。
【請求項４】
サブフレームの前記シーケンスが、周波数分割複信（ＦＤＤ）サブフレームのシーケンスに対応する、請求項２に記載の方法。
【請求項５】
前記小数成分として前記タイミングアドバンスを前記適用することが、前記ワイヤレスアップリンク送信を開始すべき前記時間を、前記サブフレーム持続時間よりも小さい量だけ進めることを備える、請求項１に記載の方法。
【請求項６】
前記小数成分として前記タイミングアドバンスを前記適用することが、前記ワイヤレスアップリンク送信を開始すべき前記時間を、前記サブフレーム持続時間よりも小さい量だけ遅延させることを備える、請求項１に記載の方法。
【請求項７】
前記小数成分が、前記サブフレーム持続時間よりも小さい、請求項１に記載の方法。
【請求項８】
前記サブフレームが、ユーザ機器から基地局に送信されたアップリンクサブフレームである、請求項１に記載の方法。
【請求項９】
前記ユーザ機器が航空機送信機を備え、前記基地局が地上局を備える、請求項８に記載の方法。
【請求項１０】
前記ワイヤレスアップリンク送信が、物理ランダムアクセスチャネル（ＰＲＡＣＨ）、サウンディング基準信号（ＳＲＳ）、物理アップリンク共有チャネル（ＰＵＳＣＨ）および関連する復調基準信号（ＤＭＲＳ）、または物理アップリンク制御チャネル（ＰＵＣＣＨ）および関連する（ＤＭＲＳ）のうちの１つまたは複数上での送信を備える、請求項１に記載の方法。
【請求項１１】
前記サブフレームは、初期アップリンクサブフレームであり、
前記初期アップリンクサブフレームの前記タイミングアドバンスに対する１つまたは複数の後続のアップリンクサブフレームのさらなるタイミングアドバンスを識別すること、ここにおいて、前記１つまたは複数の後続のアップリンクサブフレームが、時分割複信（ＴＤＤ）サブフレームのシーケンスに対応する、
をさらに備える、請求項１に記載の方法。
【請求項１２】
前記さらなるタイミングアドバンスが前記整数成分の変化を備えると決定することと、
１つまたは複数のダウンリンクサブフレーム中に前記さらなるタイミングアドバンスを適用することと
をさらに備える、請求項１１に記載の方法。
【請求項１３】
前記小数成分の前記変化を前記適用することが、複数のダウンリンクサブフレームにわたってスタッガされる、請求項１２に記載の方法。
【請求項１４】
前記サブフレームの前記ワイヤレスアップリンク送信を前記開始することより前に、前記サブフレームに対してアップリンクデータ処理を実行することと、前記アップリンクデータ処理が、前記整数成分の最大値に従って実行される、
前記整数成分が前記整数成分の前記最大値よりも小さいことに応答して、前記アップリンクデータ処理の一部分をストールさせることと
をさらに備える、請求項１に記載の方法。
【請求項１５】
内部ソースからタイミングアドバンス情報を受信することと、
外部ソースからタイミングアドバンス情報を受信することと、ここにおいて、前記タイミングアドバンスを識別することが、前記内部ソースから受信された前記タイミングアドバンス情報および前記外部ソースから受信された前記タイミングアドバンス情報に少なくとも部分的に基づく、
をさらに備える、請求項１に記載の方法。
【請求項１６】
前記外部ソースとは別個である基地局からタイミングアドバンス情報を受信すること、ここにおいて、前記タイミングアドバンスを識別することが、前記基地局からの前記タイミングアドバンス情報に少なくとも部分的に基づき、ここにおいて、前記外部ソースの前記タイミングアドバンス情報が、前記ワイヤレスアップリンク送信を開始するワイヤレス通信デバイスに関連付けられた位置、速度、および加速度のうちの少なくとも１つを備える、
をさらに備える、請求項１５に記載の方法。
【請求項１７】
サブフレームのワイヤレスアップリンク送信を開始すべき時間を示すタイミングアドバンスを識別するための手段と、
前記識別されたタイミングアドバンスとしきい値の比較に少なくとも部分的に基づいて整数成分を識別するための手段と、
前記識別されたタイミングアドバンスと前記整数成分との間の差として小数成分を決定するための手段と、
前記サブフレームの前記ワイヤレスアップリンク送信を開始すべき前記時間を調整するために、サブフレーム持続時間に関する前記整数成分および前記小数成分として前記タイミングアドバンスを適用するための手段と、
前記タイミングアドバンスによって示された前記時間に前記サブフレームの前記ワイヤレスアップリンク送信を開始するための手段と
を備える、ワイヤレス通信のための装置。
【請求項１８】
前記整数成分を適用するための前記手段が、
サブフレームのシーケンスの以前のダウンリンクサブフレーム境界に対応するように、前記サブフレームの前記ワイヤレスアップリンク送信を開始すべき前記時間を調整するための手段
を備える、請求項１７に記載の装置。
【請求項１９】
前記小数成分として前記タイミングアドバンスを適用するための前記手段が、前記ワイヤレスアップリンク送信を開始すべき前記時間を、前記サブフレーム持続時間よりも小さい量だけ進めるための手段を備える、請求項１７に記載の装置。
【請求項２０】
前記小数成分として前記タイミングアドバンスを適用するための前記手段が、前記ワイヤレスアップリンク送信を開始すべき前記時間を、前記サブフレーム持続時間よりも小さい量だけ遅延させるための手段を備える、請求項１７に記載の装置。
【請求項２１】
前記タイミングアドバンスを適用するための前記手段が、
前記識別されたタイミングアドバンスをしきい値と比較するための手段と、
前記比較に少なくとも部分的に基づいて前記整数成分に対する調整を決定するための手段と、
前記識別されたタイミングアドバンスと前記決定された調整に基づく調整された整数成分との間の差として前記小数成分を計算するための手段と
を備える、請求項１７に記載の装置。
【請求項２２】
プロセッサと、
前記プロセッサと電子通信しているメモリと、
前記メモリに記憶された命令と
を備え、前記命令が、
サブフレームのワイヤレスアップリンク送信を開始すべき時間を示すタイミングアドバンスを識別することと、
前記識別されたタイミングアドバンスとしきい値の比較に少なくとも部分的に基づいて整数成分を識別することと、
前記識別されたタイミングアドバンスと前記整数成分との間の差として小数成分を決定することと、
前記サブフレームの前記ワイヤレスアップリンク送信を開始すべき前記時間を調整するために、サブフレーム持続時間に関する前記整数成分および前記小数成分として前記タイミングアドバンスを適用することと、
前記タイミングアドバンスによって示された前記時間に前記サブフレームの前記ワイヤレスアップリンク送信を開始することと
を行うために前記プロセッサによって実行可能である、
ワイヤレス通信のための装置。
【請求項２３】
前記命令が、サブフレームのシーケンスの以前のダウンリンクサブフレーム境界に対応するように、前記サブフレームの前記ワイヤレスアップリンク送信を開始すべき前記時間を調整するために前記プロセッサによってさらに実行可能である、請求項２２に記載の装置。
【請求項２４】
前記命令が、前記ワイヤレスアップリンク送信を開始すべき前記時間を、前記サブフレーム持続時間よりも小さい量だけ進めるために前記プロセッサによってさらに実行可能である、請求項２２に記載の装置。
【請求項２５】
前記命令が、前記ワイヤレスアップリンク送信を開始すべき前記時間を、前記サブフレーム持続時間よりも小さい量だけ遅延させるために前記プロセッサによってさらに実行可能である、請求項２２に記載の装置。
【請求項２６】
ワイヤレス通信のためのコンピュータ実行可能コードを記憶する非一時的コンピュータ可読媒体であって、前記コードが、
サブフレームのワイヤレスアップリンク送信を開始すべき時間を示すタイミングアドバンスを識別することと、
前記識別されたタイミングアドバンスとしきい値の比較に少なくとも部分的に基づいて整数成分を識別することと、
前記識別されたタイミングアドバンスと前記整数成分との間の差として小数成分を決定することと、
前記サブフレームの前記ワイヤレスアップリンク送信を開始すべき前記時間を調整するために、サブフレーム持続時間に関する前記整数成分および前記小数成分として前記タイミングアドバンスを適用することと、
前記タイミングアドバンスによって示された前記時間に前記サブフレームの前記ワイヤレスアップリンク送信を開始することと
を行うためにプロセッサによって実行可能である、非一時的コンピュータ可読媒体。
【請求項２７】
前記コードが、
サブフレームのシーケンスの以前のダウンリンクサブフレーム境界に対応するように、前記サブフレームの前記ワイヤレスアップリンク送信を開始すべき前記時間を調整すること
を行うために前記プロセッサによって実行可能である、請求項２６に記載の非一時的コンピュータ可読媒体。
【請求項２８】
前記コードが、
前記ワイヤレスアップリンク送信を開始すべき前記時間を、前記サブフレーム持続時間よりも小さい量だけ進めること
を行うために前記プロセッサによって実行可能である、請求項２６に記載の非一時的コンピュータ可読媒体。
【請求項２９】
前記コードが、
前記ワイヤレスアップリンク送信を開始すべき前記時間を、前記サブフレーム持続時間よりも小さい量だけ遅延させること
を行うために前記プロセッサによって実行可能である、請求項２６に記載の非一時的コンピュータ可読媒体。
【国際調査報告】
2017522760.tif 000018
2017522760.tif 000019
2017522760.tif 000020